(57)【特許請求の範囲】
【請求項１】
各成分色光毎に射出光量を調整可能な光源部と、
画像が記録された長尺状の写真フィルムを挟持するローラ又はベルトを回転駆動させることで、前記光源部から射出された光の光路と交差する搬送経路に沿って前記写真フィルムを所定の搬送速度で搬送する搬送手段と、
前記写真フィルムを透過した光が入射され、写真フィルムに記録された画像を結像させる結像手段と、
前記結像手段を透過した光が入射され、前記写真フィルムを各成分色に分解して読み取るラインセンサと、
写真フィルム上の画像部及び非画像部を区別することなく前記写真フィルムを末尾まで順に読み取る予備読み取りが所定の読取条件で行われるように、少なくとも前記光源部、前記搬送手段及び前記ラインセンサを制御する予備読取制御手段と、
前記予備読み取りが行われることで順次得られる前記予備読み取りの結果に基づいて写真フィルム上の各画像の記録位置を順次判定することを、前記予備読み取りと並行して行う判定手段と、
前記予備読み取りが行われることで順次得られる前記予備読み取りの結果及び前記予備読み取りと並行して順次得られる前記写真フィルム上の各画像の記録位置の判定結果に基づいて、本読み取りを行う際の読取条件を各画像毎に順次設定することを、前記予備読み取りと並行して行う読取条件設定手段と、
前記写真フィルム上の各画像の記録位置の判定結果に基づき、写真フィルムに記録された各画像を前記読取条件設定手段によって設定された読取条件で読み取る本読み取りが行われるように、少なくとも前記光源部、前記搬送手段及び前記ラインセンサを制御する本読取制御手段と、
を含む画像読取装置。
【請求項２】
画像を表示するための表示手段と、
前記予備読み取りと並行して順次得られる前記写真フィルム上の各画像の記録位置の判定結果に基づいて、前記予備読み取りの結果から各画像のデータを切り出すことを、前記予備読み取りと並行して行う切り出し手段と、
前記切り出し手段によって切り出されたデータを用いて各画像を前記表示手段に表示させることを、前記予備読み取りと並行して行う表示制御手段と、
画像の切り出し位置を修正する情報を入力するための入力手段と、
を更に備え、
前記判定手段は、前記入力手段を介して画像の切り出し位置を修正する情報が入力された場合に、写真フィルム上の各画像の記録位置の判定結果を前記入力された情報に基づいて修正する
ことを特徴とする請求項１記載の画像読取装置。
【請求項３】
前記切り出し手段によって切り出されたデータに基づいて、各画像の本読み取りを行った結果に対する画像処理の処理条件を各画像毎に演算することを、前記予備読み取りと並行して行う処理条件演算手段と、
前記処理条件演算手段によって演算された処理条件に従って、各画像の本読み取りを行った結果に対して画像処理を行う画像処理手段と、
を更に備え、
前記表示制御手段は、前記切り出し手段によって切り出されたデータを用いて、各画像に対して前記処理条件演算手段によって演算された処理条件で画像処理を行った結果に相当する画像を前記表示手段に表示させ、
前記処理条件演算手段は、前記入力手段を介して処理条件を修正する情報が入力された場合に、入力された情報に基づいて処理条件を修正する
ことを特徴とする請求項２記載の画像読取装置。
【請求項４】
前記光源部は、
光源と、
前記光源から射出された光の光量を調整可能な調光手段と、
前記光源から射出された光を拡散させる光拡散手段と、
を含んで構成されていることを特徴とする請求項１記載の画像読取装置。
【発明の詳細な説明】
【０００１】
【発明の属する技術分野】
本発明は画像読取装置に係り、特に、写真フィルムに記録された画像を複数の成分色に分解して読み取る画像読取装置に関する。
【０００２】
【従来の技術及び発明が解決しようとする課題】
近年、写真フィルムに記録されているフィルム画像をＲ、Ｇ、Ｂの各成分色に分解して読み取り、該読み取りによって得られた画像データに対して各種の補正等の画像処理を行った後に、記録材料への画像の記録やディスプレイへの画像の表示等を行う写真処理方法が提案されている。この写真処理方法は、フィルム画像を面露光により印画紙に記録する従来の写真処理方法と比較して、画像データに対する画像処理により記録画像の画質を自在にコントロールできるという利点を有しているが、記録画像の画質は画像処理前の画像データの品質、すなわちフィルム画像の読取精度にも依存するので、フィルム画像の読み取りを高精度かつ従来の写真処理方法における処理速度と同等以上の速度で高速に行うことができる画像読取装置が必要となる。
【０００３】
上記のように記録材料への画像の記録等を目的として、写真フィルム等の原稿に記録された画像を複数の成分色に分解して読み取って画像データを出力する画像読取装置としては従来より種々の構成のものが提案されており、例えば、円筒状のドラムの外周に該ドラムの周方向に沿って原稿を巻き付け、ドラムと原稿を一体的に回転させることでドラムの外周側に配置された読取ヘッドと原稿とを相対的に移動させると共に、ドラムの内側に配置した光源から原稿に白色光を照射して原稿を透過した光を複数の成分色に分解して読取ヘッドで読み取ることで、原稿に記録された画像の画像データを得る製版用カラースキャナが知られている（特開昭５８−９１４５号公報参照）。
【０００４】
しかし、上記のカラースキャナはドラムの周長が記録材料の長さよりも長いことが前提であり、上記のカラースキャナを長尺状の写真フィルムに記録されたフィルム画像の読み取りに適用した場合、例えば３６枚撮り１３５サイズ写真フィルム等の長尺写真フィルムの長さに応じてドラムの直径を非常に大きくする必要があるので、装置が極端に大型化するという欠点がある。また、フィルム画像の読み取りに際しては、読取対象の写真フィルムをドラムに巻き付け、ドラムの外周面上の一定位置に位置決めしてセットする、という煩雑な作業を行う必要があるので、オペレータに多大な負担がかかり、大量の写真フィルムのフィルム画像を高速で読み取ることは困難である。更に上記のカラースキャナは、原稿に記録されたポジ画像を読み取ることを前提としているため、光源から原稿に照射される光の各成分色毎の光量の割合を任意の割合とするための調光フィルタ等が設けられていないが、ネガ画像を精度良く読み取るためには調光フィルタ等を設けることが望ましい。しかし、上述した構成では調光フィルタ等を設けることも困難である。
【０００５】
また、印刷の分野では画像の画質に対する要求レベルが非常に高く、印刷に用いる画像データを取得するためには画像を極めて高精度に読み取る必要があるので、印刷用の画像読取装置の中には、原稿をカセットにセットし透明な平板で原稿の全面を挟持することで原稿の平面性を向上させ、原稿をセットしたカセットを一定速度で搬送することで読取センサと原稿とを相対移動させ、原稿に記録された画像を読み取る構成も見受けられる。
【０００６】
しかし、この構成をフィルム画像の読み取りに適用した場合にも、前述したカラースキャナと同様に、フィルム画像の読み取りに際し、読取対象の写真フィルムをカセットにセットするという煩雑な作業を行う必要があるので、オペレータに多大な負担がかかると共に、大量の写真フィルムのフィルム画像を高速で読み取ることは困難である。また、長尺状の写真フィルムを全面に亘って挟持できるようにカセットを構成するとカセットが極端に大型化するので、上記技術を適用して長尺写真フィルムに記録されたフィルム画像の読み取りを行うことは現実的ではない。
【０００７】
また、フィルム画像を読み取るための画像読取装置として、光電変換素子及びＣＣＤセルが２次元に多数配列されて成るエリアＣＣＤセンサを読取センサとして用い、長尺写真フィルムに記録された各フィルム画像がエリアＣＣＤセンサによる画像読取位置に順次位置決めされるように写真フィルムを間欠搬送し、各フィルム画像をエリアＣＣＤによって順に読み取る構成が知られている（富士写真フイルム製のデジタルラボシステム  フロンティアの入力機（高速スキャナ／画像処理ワークステーション）SP-100等）。
【０００８】
しかしエリアＣＣＤセンサは、多数の光電変換素子及びＣＣＤセルを備えているため一般に高価であり、画像をより高解像度で読み取るためには解像度の２乗に比例する非常に多数のセルを備えたエリアＣＣＤセンサを用いる必要があるのでコストが嵩むという欠点がある。また、製品として市場に出回っているエリアＣＣＤセンサは、製造時の歩留りとの兼ね合いで、入射光の光量に正確に対応した信号が出力されないセル（所謂欠陥画素）が多少存在していることがあり、画素欠陥を補正するために複雑な補正回路が必要になるという問題もある。
【０００９】
また、フィルム画像を読み取る簡易な構成の画像読取装置も知られているが、この装置は光源として蛍光管を用いていると共に、写真フィルムに照射する光の各成分色毎の光量の割合を調整するための調光フィルタや、写真フィルムに照射する光を拡散させて光量むらを低減する光拡散ボックスが設けられておらず、光源からの光が直接写真フィルムに照射される。このように、上記の画像読取装置はフィルム画像を簡易的に読み取るためのものであり、フィルム画像を高精度に読み取ることはできない。
【００１０】
更に、特開平６−２４２５２１号公報、特開平６−２４２５２２号公報には、長尺写真フィルムの搬送方向に沿って、フィルム画像をラインＣＣＤによって予備的に粗く読み取るプレスキャン部と、フィルム画像をラインＣＣＤによって高解像度で読み取るファインスキャン部を並列に設け、プレスキャン部でフィルム画像を読み取ることによって得られたプレスキャン画像データに基づいて階調変換条件を作成し、ファインスキャン部でフィルム画像を読み取ることによって得られたファインスキャン画像データに対し、前記階調変換条件に従って階調変換を行う構成の画像読取装置が開示されている。
【００１１】
しかしながら、上記構成ではラインＣＣＤや光源、結像レンズ等の光学部品を２組設ける必要があるので、コストが嵩むと共に構成が複雑になるという問題がある。また、上記の画像読取装置において、ファインスキャン部に要求される画像読み取りの解像度や、プレスキャン画像データに基づいて行う処理に要する時間等を考慮すると、ファインスキャン部での画像読み取りの解像度は、プレスキャン部での画像読み取りの解像度の１０倍程度にする必要がある。このため、プレスキャン部における写真フィルムの搬送速度とファインスキャン部における写真フィルムの搬送速度とを大きく異ならせる必要があると共に、プレスキャン部とファインスキャン部との間に写真フィルムの搬送速度差を吸収するためのフィルムバッファを設ける必要もあり、このフィルムバッファも構成の複雑化の一因となっている。
【００１２】
また、フィルム画像は写真フィルム上での記録位置が不定であるので、上記構成では、写真フィルムを搬送しながら画面検出センサによって順次フィルム画像の記録位置を判定してフィルム画像を読み取っており、記録位置の判定とフィルム画像の読み取りを並行して行うために写真フィルムの搬送速度を比較的低速とする必要があるので、フィルム画像を高速で読み取ることができない、という問題もあった。
【００１３】
本発明は上記事実を考慮して成されたもので、写真フィルムに記録されたフィルム画像を各成分色毎に精度良くかつ高速で読み取ることを、簡易かつ低コストの構成で実現できる画像読取装置を得ることが目的である。
【００１４】
【課題を解決するための手段】
上記目的を達成するために請求項１記載の発明に係る画像読取装置は、各成分色光毎に射出光量を調整可能な光源部と、画像が記録された長尺状の写真フィルムを挟持するローラ又はベルトを回転駆動させることで、前記光源部から射出された光の光路と交差する搬送経路に沿って前記写真フィルムを所定の搬送速度で搬送する搬送手段と、前記写真フィルムを透過した光が入射され、写真フィルムに記録された画像を結像させる結像手段と、前記結像手段を透過した光が入射され、前記写真フィルムを各成分色に分解して読み取るラインセンサと、写真フィルム上の画像部及び非画像部を区別することなく前記写真フィルムを末尾まで順に読み取る予備読み取りが所定の読取条件で行われるように、少なくとも前記光源部、前記搬送手段及び前記ラインセンサを制御する予備読取制御手段と、前記予備読み取りが行われることで順次得られる前記予備読み取りの結果に基づいて写真フィルム上の各画像の記録位置を順次判定することを、前記予備読み取りと並行して行う判定手段と、前記予備読み取りが行われることで順次得られる前記予備読み取りの結果及び前記予備読み取りと並行して順次得られる前記写真フィルム上の各画像の記録位置の判定結果に基づいて、本読み取りを行う際の読取条件を各画像毎に順次設定することを、前記予備読み取りと並行して行う読取条件設定手段と、前記写真フィルム上の各画像の記録位置の判定結果に基づき、写真フィルムに記録された各画像を前記読取条件設定手段によって設定された読取条件で読み取る本読み取りが行われるように、少なくとも前記光源部、前記搬送手段及び前記ラインセンサを制御する本読取制御手段と、を含んで構成している。
【００１５】
請求項１記載の発明では、各成分色光毎に射出光量を調整可能な光源部を備えており、搬送手段は、画像が記録された長尺状の写真フィルムを挟持するローラ又はベルトを回転駆動させることで、光源部から射出された光の光路と交差する搬送経路に沿って所定の搬送速度で写真フィルムを搬送する。従って、写真フィルムの長さに拘らず、ローラ又はベルトに写真フィルムを挟持させれば前記写真フィルムの搬送が可能な状態となり、ローラ又はベルトが回転駆動することで、写真フィルムに記録された画像を光源部から射出された光の光路と交差する位置に順に位置させることができるので、写真フィルムに記録された画像の読み取りを行うために、写真フィルムをドラムやカセットにセットする等の煩雑な作業を行う必要もなく、大量の写真フィルムに記録されたフィルム画像を各々読み取る場合にも、オペレータに負担がかかることもない。
【００１６】
また請求項１の発明は、写真フィルムに記録された画像を結像させる結像手段を透過した光が入射され、写真フィルムを各成分色に分解して読み取るラインセンサが設けられている。このラインセンサにより写真フィルムに記録された画像（２次元画像）を読み取るためには、読み取りを行いながら写真フィルムを一定速度で搬送する必要があるものの、エリアセンサと比較して、同一の解像度で画像を読み取るために必要なセル数が大幅に少なくて済み、画素欠陥の無いセンサを入手することも容易であるので、低コストで済むと共に画素欠陥を補正する補正回路を設ける必要がなくなるか、又は補正回路の構成が非常に簡単で済む。
【００１７】
また予備読取制御手段は、写真フィルム上の画像部及び非画像部を区別することなく写真フィルムを末尾まで順に読み取る予備読み取りが所定の読取条件で行われるように、少なくとも光源部、搬送手段及びラインセンサを制御する。予備読み取りは写真フィルム上の画像部（画像が記録されている部分）及び非画像部（画像が記録されていない部分）を区別することなく読み取るので、写真フィルム上の各画像の記録位置を判定しながら写真フィルム上の画像部のみを読み取る場合と比較して、写真フィルムを高速で搬送して読み取りを行うことができ、予備読み取りに要する時間を短縮することができる。
【００１８】
写真フィルム上の各画像の記録位置の判定は、予備読み取りが行われることで順次得られる予備読み取りの結果に基づいて判定手段により予備読み取りと並行して順次行われ、読取条件設定手段は、予備読み取りが行われることで順次得られる予備読み取りの結果及び予備読み取りと並行して順次得られる写真フィルム上の各画像の記録位置の判定結果に基づいて、本読み取りを行う際の読取条件を各画像毎に順次設定することを、予備読み取りと並行して行う。そして本読取制御手段は、写真フィルム上の各画像の記録位置の判定結果に基づき、写真フィルムに記録された各画像を読取条件設定手段によって設定された読取条件で読み取る本読み取りが行われるように、少なくとも光源部、搬送手段及びラインセンサを制御する。
【００１９】
従って、単一のラインセンサによって画像の予備読み取り及び本読み取りが行われるので、予備読み取り用のセンサと本読み取り用のセンサを各々設けることでコストが嵩むことを回避できると共に、画像の予備読み取りを行う場合と本読み取りを行う場合とで写真フィルムの搬送速度が大きく異なっていたとしても、速度差を吸収するためのフィルムバッファ等を設ける必要はなく、装置の構成が複雑になることを防止できると共に装置を小型化できる。
【００２０】
また、画像読み取りにおける読取条件には、写真フィルムに照射される光の各成分色光毎の光量、写真フィルムの搬送速度、及びラインセンサによる画像読み取りの１周期の長さ等が含まれる。写真フィルムに照射される光の各成分色光毎の光量は光源部を制御することで変更することができる。また、写真フィルムの搬送速度は搬送手段を制御することで変更することができ、ラインセンサによる画像読み取りの１周期の長さはラインセンサを制御することで変更することができる。
【００２１】
一般に、ラインセンサを含む画像読取センサは、画像読み取りの１周期の間に入射される光量の積算値が許容値を越えると出力が飽和し、前記光量の積算値が非常に小さいと画像の濃淡を精度良く表す出力が得られないという特性を有している。これに対し請求項１の発明では、読取対象画像の画像特徴量が未知である画像の予備読み取り時には所定の読取条件で読み取りを行うが、予備読み取りの結果から読取対象画像の画像特徴量が既知となる画像の本読み取り時には、読取条件設定手段によって設定された読取条件で読み取りを行う。
【００２２】
読取条件設定手段は、例えば予備読み取りの結果、読取対象画像の濃度が全体的に低いことが判明した等の場合には、写真フィルムに照射される光の各成分色光毎の光量を全体的に低くするか、又は写真フィルムの搬送速度を速くするか、又はラインセンサによる画像読み取りの１周期の長さを短くするか、又は上記を組み合わせた読取条件を設定する。これにより、画像の本読み取りにおいて、ラインセンサの出力の飽和等が生ずることなく高精度に画像を読み取ることができる。
【００２３】
また読取条件設定手段は、例えば予備読み取りの結果、読取対象画像の濃度が全体的に高いことが判明した等の場合には、写真フィルムに照射される光の各成分色光毎の光量を全体的に高くするか、又は写真フィルムの搬送速度を遅くするか、又はラインセンサによる画像読み取りの１周期の長さを長くするか、又は上記を組み合わせた読取条件を設定する。これにより、画像の本読み取りにおいて、充分な入射光量により高精度に画像を読み取ることができる。
【００２４】
また読取条件設定手段は、例えば予備読み取りの結果、読取対象画像の特定の成分色の濃度が高い又は低いことが判明した等の場合には、写真フィルムに照射される光の前記特定の成分色光の光量を高く又は低くする読取条件を設定する。これにより、画像の本読み取りにいて、前記特定の成分色光の過不足が生ずることなく、画像を各成分色毎に高精度に読み取ることができる。
【００２５】
従って請求項１の発明によれば、上述したように、写真フィルムに記録されたフィルム画像を各成分色毎に精度良くかつ高速で読み取ることを、簡易かつ低コストの構成で実現することができる。
【００２６】
請求項２記載の発明は、請求項１の発明において、画像を表示するための表示手段と、前記予備読み取りと並行して順次得られる前記写真フィルム上の各画像の記録位置の判定結果に基づいて、前記予備読み取りの結果から各画像のデータを切り出すことを、前記予備読み取りと並行して行う切り出し手段と、前記切り出し手段によって切り出されたデータを用いて各画像を前記表示手段に表示させることを、前記予備読み取りと並行して行う表示制御手段と、画像の切り出し位置を修正する情報を入力するための入力手段と、を更に備え、前記判定手段は、前記入力手段を介して画像の切り出し位置を修正する情報が入力された場合に、写真フィルム上の各画像の記録位置の判定結果を前記入力された情報に基づいて修正することを特徴としている。
【００２７】
請求項２記載の発明では、予備読み取りと並行して順次得られる写真フィルム上の各画像の記録位置の判定結果に基づいて各画像のデータを切り出すことを、予備読み取りと並行して行い、切り出したデータを用いて各画像を表示手段に表示させることを、予備読み取りと並行して行うので、表示手段に表示された画像をオペレータが視認することで、判定手段による各画像の記録位置の判定結果が適正か否かをオペレータが容易に判断することができる。また判定手段は、画像の切り出し位置を修正する情報が入力された場合に、写真フィルム上の各画像の記録位置の判定結果を修正するので、例えば特定の画像の記録位置の判定結果が適正でないとオペレータが判断した場合、画像の切り出し位置を修正する情報をオペレータが入力すれば、前記特定の画像についての判定手段の判定結果が前記入力された情報に従って自動的に修正される。
【００２８】
従って請求項２の発明によれば、例えば写真フィルムに記録された画像のコマエッジが明瞭でない（濃度変化が小さい）等の場合にも、画像の記録位置を確実に判定することができ、画像の本読み取り時に、写真フィルム上の実際に画像が記録されている位置を確実に読み取ることができる。
【００２９】
請求項３記載の発明は、請求項１の発明において、前記切り出し手段によって切り出されたデータに基づいて、各画像の本読み取りを行った結果に対する画像処理の処理条件を各画像毎に演算することを、前記予備読み取りと並行して行う処理条件演算手段と、前記処理条件演算手段によって演算された処理条件に従って、各画像の本読み取りを行った結果に対して画像処理を行う画像処理手段と、を更に備え、前記表示制御手段は、前記切り出し手段によって切り出されたデータを用いて、各画像に対して前記処理条件演算手段によって演算された処理条件で画像処理を行った結果に相当する画像を前記表示手段に表示させ、前記処理条件演算手段は、前記入力手段を介して処理条件を修正する情報が入力された場合に、入力された情報に基づいて処理条件を修正することを特徴としている。
【００３０】
請求項３記載の発明では、切り出し手段によって切り出されたデータに基づいて、各画像の本読み取りを行った結果に対する画像処理の処理条件を各画像毎に演算することが、処理条件演算手段によって予備読み取りと並行して行われ、画像処理手段は、各画像の本読み取りを行った結果に対し、演算された処理条件に従って画像処理を行う。写真フィルムに記録される画像の画質は画像を撮影記録する際の撮影条件等の影響を大きく受け、写真フィルム上に画質が適正でない画像が記録されていることも多い。これに対し、上記のように各画像毎に画像処理の処理条件を演算し、各画像の本読み取りを行った結果に対して前記処理条件に従って画像処理を行うことにより、適正な画質で記録された画像を読み取ったに等しいデータを得ることが可能となる。しかしながら、処理条件演算手段によって常に適切な処理条件が演算されるとは限らず、画像によっては適切な処理条件を演算によって得ることが困難な場合もある。
【００３１】
これに対し、請求項３の発明に係る表示制御手段は、切り出し手段によって切り出されたデータを用い、各画像に対して処理条件演算手段によって演算された処理条件で画像処理を行った結果に相当する画像を表示手段に表示させる。これにより、表示手段に表示された画像をオペレータが視認し、その画質を確認することで、処理条件演算手段によって演算された処理条件が適切か否かをオペレータが容易に判断することができる。また処理条件演算手段は、入力手段を介して処理条件を修正する情報が入力された場合に、入力された情報に基づいて処理条件を修正するので、特定の画像に対して演算された画像処理の処理条件が適切でないとオペレータが判断した場合、処理条件を修正する情報をオペレータが入力すれば、前記特定の画像に対する画像処理の処理条件が自動的に修正されることになる。
【００３２】
従って請求項３の発明によれば、例えば画像処理の適切な処理条件を演算によって得ることが困難な画像に対しても、適切な処理条件を確実に設定することができ、画像の本読み取りを行った結果に対し、常に適切な処理条件で画像処理を行うことができる。
【００３３】
なお、本発明に係る光源部は、例えば請求項４に記載したように、光源と、光源から射出された光の光量を調整可能な調光手段と、光源から射出された光を拡散させる光拡散手段と、を含んで構成することができる。これにより、光源部から射出される各成分色光毎の光量を調光手段によって任意に調整することが可能となる。また、光源部から射出される光は、光拡散手段による拡散によって光量のむらが低減されて光量が略均一となるので、前記光量のむらの影響でラインセンサによる画像の読み取りの精度が低下することを防止することができる。
【００３４】
なお、上記の調光手段は、光源から射出された光の光量を各成分色光毎に調整可能としてもよく、この場合、例えば特定の成分色光を減光する調光フィルタを各成分色毎に設け、光源から射出された光の光路への挿入量を各調光フィルタ毎に調節する構成が考えられる。しかし、この構成では、調光フィルタによって調光された光を光拡散手段によって拡散させても色むら（各成分色光毎の光量のむら）を完全に除去することは困難である。画像の色むらは視認され易いので、ラインセンサが画像を読み取ることによって得られたデータを用いて記録材料に画像を記録したとすると、記録画像上で色むらが視認される。このため、光源から射出された光の光量を各成分色光毎に調整可能に調光手段を構成する場合、特定の成分色光に対する減光率が互いに異なる複数のフィルタが取り付けられ複数のフィルタの何れかが光源から射出された光の光路上に位置するように配置されたターレットと、光源から射出された光の光量を調整する絞りと、で構成することが好ましい。
【００３５】
これにより、ターレットを回転させて光路上に位置しているフィルタを変更することで、特定の成分色光の光量と他の成分色光の光量との比率を調整することができ、絞りによって全体的な光量を調整することができる。上記構成ではターレットに取付けられたフィルタを光路上に位置させ、該フィルタによって特定の成分色光の光量と他の成分色光の光量との比率を調整するので、原理的に色むらが発生しない。従って、光源から射出された光の光量を各成分色光毎に調整可能に調光手段を構成する場合にも、各成分色光の光量を、空間的に色むらが生ずることなく均一に調整することができる。
【００３６】
また、画像を各成分色に分解して読み取るラインセンサとしては、３個のラインセンサを設け、写真フィルムと各ラインセンサとの間に、入射光を各成分色光に分解し各色毎に異なる方向に射出する色分解プリズムを配置することで実現できるが、色分解プリズムは高価であり、画像読取装置のコストアップに繋がると共に、色分解プリズム及び各ラインセンサの取付けに際し、高い位置精度が要求されるという欠点がある。このため、ラインセンサとして３ラインカラーＣＣＤセンサを用いることが好ましい。３ラインカラーＣＣＤセンサは、３個のラインセンサが間隔を隔てて配列された状態で一体化され、各ラインセンサの光入射側に互いに異なる成分色の色分解フィルタが設けられて構成される。これにより、色分解プリズムが不要になると共にセンサの取付けも容易になるので、画像読取装置をより低コストに構成することができる。
【００３７】
【発明の実施の形態】
以下、図面を参照して本発明の実施形態について詳細に説明する。なお、以下では、まず本実施形態に係るディジタルラボシステムについて説明する。
【００３８】
（システム全体の概略構成）
図１には本実施形態に係るディジタルラボシステム１０の概略構成が示されており、図２にはディジタルラボシステム１０の外観が示されている。図１に示すように、このラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００３９】
ラインＣＣＤスキャナ１４は、ネガフィルムやリバーサルフィルム等の写真フィルムに記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１４は、上記の読取対象のフィルム画像をラインＣＣＤで読み取り、画像データを出力する。
【００４０】
画像処理部１６は、ラインＣＣＤスキャナ１４から出力された画像データ（スキャン画像データ）が入力されると共に、デジタルカメラでの撮影によって得られた画像データ、フィルム画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００４１】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００４２】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００４３】
（ラインＣＣＤスキャナの構成）
次にラインＣＣＤスキャナ１４の構成について説明する。図３にはラインＣＣＤスキャナ１４の光学系の概略構成が示されている。ラインＣＣＤスキャナ１４は入力部２６の作業テーブル２７の下方に配置された光源部３０を備えている。光源部３０は金属製のケーシング３１内に収容されており、ケーシング３１内の向かって右側（図３（Ａ）参照）には、ハロゲンランプやメタルハライドランプ等から成るランプ３２が配置されている。なお光源部３０は本発明の光源部に対応しており、ランプ３２は請求項４に記載の光源に対応している。
【００４４】
ランプ３２の周囲にはリフレクタ３３が設けられており、ランプ３２から射出された光の一部はリフレクタ３３によって反射され、一定の方向（図３（Ａ）における左側）へ射出される。リフレクタ３３の光射出側と反対側にはファン３４が設けられている。ファン３４はランプ３２が点灯している間作動され、ケーシング３１の内部が過熱状態となることを防止する。リフレクタ３３の光射出側には、リフレクタ３３からの射出光の光軸に沿って、紫外域及び赤外域の波長の光をカットすることで写真フィルム２２の温度上昇を防止し読取精度を向上させるＵＶ／ＩＲカットフィルタ３５（紫外光・赤外光遮断手段）、ターレット３６、３７、絞り３９、光拡散ボックス４０が順に設けられている。
【００４５】
図４（Ａ）にも示すように、ターレット３６には孔３６Ａが複数穿設されており、１つの孔３６Ａを除く残りの孔３６Ａには、Ｒ、Ｇ、Ｂのうちの特定の成分色の光を減光すると共に前記特定の成分色（以下、第１成分色という）の光に対する減光率が互いに異なる調光フィルタ４１が各々嵌め込まれている。ターレット３７はターレット３６と略同一の構成とされているが、ターレット３７の孔には、前述の調光フィルタ４１と異なる成分色（以下、第２成分色という）の光を減光する調光フィルタが嵌め込まれている。ターレット３６、３７は、複数の孔の何れかが光軸上に位置し、かつ回転されることで光軸上に位置する孔が順次切り替わるように配置されている。
【００４６】
絞り３９は光軸を挟んで配置された一対の板材から成り、一対の板材が接近離間するようにスライド移動可能とされている。図４（Ｂ）に示すように、絞り３９の一対の板材は、スライド方向に沿った一端側から他端側に向けて、スライド方向に直交する方向に沿った断面積が連続的に変化するように、一端側に切り欠き３９Ａが各々形成されており、切り欠き３９Ａが形成されている側が対向するように配置されている。
【００４７】
上記構成では、ターレット３６の複数の孔の何れが光軸上に位置しているかによって第１成分色の光と他の成分色の光との光量の割合が変化し、ターレット３７の複数の孔の何れが光軸上に位置しているかによって第２成分色の光と他の成分色の光との光量の割合が変化し、絞り３９の位置によって絞り３９を通過する光の光量が変化する。従って、ターレット３６、３７及び絞り３９を透過して射出される各成分色光の光量は、ターレット３６、３７及び絞り３９により、空間的に色むらが生ずることなく均一に調整することができる。このように、ターレット３６、３７及び絞り３９は請求項４に記載の調光手段に対応している。
【００４８】
光拡散ボックス４０は、中間部が直角に屈曲された略Ｌ字状とされており、屈曲部の内部には、光拡散ボックス４０内部に入射された光を９０°異なる方向に射出する全反射ミラーが設けられている。光拡散ボックス４０は、光射出口が、作業テーブル２７上にセットされるフィルムキャリア３８（詳細は後述）によって搬送される写真フィルム２２の搬送方向に直交する方向（写真フィルム２２の幅方向）を長手方向とする偏平な矩形状とされている（図３（Ａ）及び（Ｂ）参照）と共に、写真フィルム２２の幅方向に沿った寸法が、前記屈曲部から光射出口に向けてテーパ状に徐々に大きくされている。また、光拡散ボックス４０の光入射側及び光射出側には光拡散板４２Ａ、４２Ｂが各々取付けられている。
【００４９】
従って、光拡散ボックス４０に入射された光は、フィルムキャリア３８（すなわち写真フィルム２２）に向けて光路が９０°屈曲されると共に、写真フィルム２２の幅方向を長手方向とするスリット光とされ、更に光拡散板４２Ａ、４２Ｂによって拡散光とされて射出される。このように、光拡散ボックス４０から射出される光が拡散光とされることにより、写真フィルム２２に照射される光の光量むらが低減され、フィルム画像に均一な光量のスリット光が照射されると共に、フィルム画像に傷が付いていたとしても、この傷が目立ちにくくなる。このように、光拡散ボックス４０、光拡散板４２Ａ、４２Ｂは請求項４に記載の光拡散手段に対応している。
【００５０】
なお、上述した光拡散ボックス４０の形状に加えて、更に、写真フィルム２２の長手方向に沿った光拡散ボックス４０の寸法が前記屈曲部から光射出口に向けてテーパ状に徐々に小さくなるように光拡散ボックス４０を成形するようにしてもよい。
【００５１】
作業テーブル２７を挟んで光源部３０の反対側には、読取部４３が、ケーシング４４内部に収容された状態で配置されている。作業テーブル２７には支持フレーム４５が立設されており、ケーシング４４は作業テーブル２７と接近離間する方向にスライド移動可能に支持フレーム４５に支持されている。ケーシング４４の内部には載置台４７が設けられており、載置台４７からは支持レール４９が複数本垂下されている。支持レール４９には作業テーブル２７と接近離間する方向にスライド移動可能にレンズユニット５０が支持されている。
【００５２】
レンズユニット５０は複数枚のレンズから成り、複数枚のレンズの間にはレンズ絞り５１が設けられている。なお、レンズユニット５０は本発明の結像手段に対応している。図４（Ｃ）に示すように、レンズ絞り５１は略Ｃ字状に成形された絞り板５１Ａを複数枚備えている。各絞り板５１Ａは光軸の周囲に均等に配置され一端部がピンに軸支されており、ピンを中心として回動可能とされている。複数枚の絞り板５１Ａは図示しないリンクを介して連結されており、レンズ絞り駆動モータ（後述）の駆動力が伝達されると同一の方向に回動する。この絞り板５１Ａの回動に伴って、光軸を中心として絞り板５１Ａにより遮光されていない部分（図４（Ｃ）における略星型の部分）の面積が変化し、レンズ絞り５１を通過する光の光量が変化する。
【００５３】
載置台４７の上面にはラインＣＣＤ１１６が取付けられている。ラインＣＣＤ１１６は、ＣＣＤセル及びフォトダイオード等の光電変換素子が一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。また、各センシング部の近傍には、多数のＣＣＤセルから成る転送部が各センシング部に対応して各々設けられており、各センシング部の各ＣＣＤセルに蓄積された電荷は、対応する転送部を介して順に転送される。
【００５４】
このように、ラインＣＣＤ１１６は本発明のラインセンサに対応している。３ラインカラーＣＣＤセンサは色分解プリズムを設ける必要がなく、取付けも容易であるので、ラインＣＣＤスキャナ１４の低コスト化を実現できる。
【００５５】
またラインＣＣＤ１１６の光入射側には、ラインＣＣＤ１１６の暗補正用のＣＣＤシャッタ５２が設けられている。なお、このＣＣＤシャッタ５２にはＮＤフィルタが取付けられており（図示省略）、ラインＣＣＤ１１６に入射される光を遮光する全閉状態、ラインＣＣＤ１１６に光を入射させる全開状態、ラインＣＣＤ１１６に入射される光をＮＤフィルタによって減光する減光状態の何れかに切り替わるようになっている。
【００５６】
図５にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されていると共に、ランプドライバ５３及びモータドライバ４８が接続されている。ランプドライバ５３は、マイクロプロセッサ４６からの指示に応じてランプ３２を点消灯させる。
【００５７】
またモータドライバ４８には、ターレット３６、３７の複数の孔のうちの任意の孔が光軸上に位置するようにターレット３６、３７を互いに独立に回転駆動するターレット駆動モータ５４、ターレット３６、３７の位置（回転角度）を検出するターレット位置センサ５５、絞り３９をスライド移動させる絞り駆動モータ５６、絞り３９の位置を検出する絞り位置センサ５７、読取部４３を収容したケーシング４４を支持フレーム４５に沿ってスライド移動させる読取部駆動モータ５８、ケーシング４４（すなわち読取部４３）の位置を検出する読取部位置センサ５９、レンズユニット５０を支持レール４９に沿ってスライド移動させるレンズ駆動モータ６０、レンズユニット５０の位置を検出するレンズ位置センサ６１、レンズ絞り５１の絞り板５１Ａを回動させるレンズ絞り駆動モータ６２、レンズ絞り５１の位置（絞り板５１Ａの位置）を検出するレンズ絞り位置センサ６３、ＣＣＤシャッタ５２を全閉状態、全開状態及び減光状態の何れかの状態に切り換えるシャッタ駆動モータ６４が接続されている。
【００５８】
マイクロプロセッサ４６は本発明の予備読取制御手段及び本読取制御手段に対応しており、ラインＣＣＤ１１６によるプレスキャン（予備読み取り）及びファインスキャン（本読み取り）を行う際に、ターレット位置センサ５５及び絞り位置センサ５７によって検出されるターレット３６、３７及び絞り３９の位置に基づき、ターレット駆動モータ５４によってターレット３６、３７を回転駆動させると共に、絞り駆動モータ５６によって絞り３９をスライド移動させ、フィルム画像に照射される光の光量を各成分色光毎に調節する。
【００５９】
またマイクロプロセッサ４６は、フィルム画像のサイズやトリミングを行うか否か等に応じてズーム倍率を決定し、フィルム画像が前記決定したズーム倍率でラインＣＣＤ１１６によって読み取られるように、読取部位置センサ５９によって検出されるケーシング４４の位置に基づき読取部駆動モータ５８によってケーシング４４をスライド移動させると共に、レンズ位置センサ６１によって検出されるレンズユニット５０の位置に基づきレンズ駆動モータ６０によってレンズユニット５０をスライド移動させる。
【００６０】
なお、ラインＣＣＤ１１６の受光面をレンズユニット５０によるフィルム画像の結像位置に一致させる合焦制御（オートフォーカス制御）を行う場合、マイクロプロセッサ４６は、読取部駆動モータ５８によりケーシング４４のみをスライド移動させる。この合焦制御は、一例としてラインＣＣＤ１１６によって読み取られたフィルム画像のコントラストが最大となるように行う（所謂画像コントラスト法）ことができるが、これに代えて写真フィルムとレンズユニット５０（又はラインＣＣＤ１１６）との距離を赤外線等により測定する距離センサを設け、フィルム画像のデータに代えて距離センサによって検出された距離に基づいて行うようにしてもよい。
【００６１】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００６２】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００６３】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００６４】
（フィルムキャリアの構成）
次に図６を参照し、作業テーブル２７上にセットされるフィルムキャリア３８（本発明の搬送手段）の構成について説明する。なお、図６には一例として１３５サイズの写真フィルム２２用のフィルムキャリアを示している。
【００６５】
フィルムキャリア３８は、上蓋３０２Ａとベース３０２Ｂとで構成される略箱型の筐体３０２を備えており、この筐体３０２の中に、後述するフィルム搬送に係る各種部材が収納されている。筐体３０２の一方の端部には写真フィルム２２を挿入するための挿入口３０４が設けられており、他方の端部には写真フィルム２２を収納するための収納部３０６が設けられている。また筐体３０２は、開放スイッチ３０８を操作することで上蓋３０２Ａとベース３０２Ｂとの係合が解除される構成であり、前記係合が解除された状態で、開放スイッチ３０８と反対側に設けられた図示しないヒンジを中心として上蓋３０２Ａを略上方へ回動させることも可能とされている。
【００６６】
筐体３０２の内部には、前述した挿入口３０４から収納部３０６に至るフィルム搬送路に沿って、写真フィルム２２の先端を検出する先端検出センサ３１０、搬送ローラ対３１２、写真フィルム２２の表面からゴミを除去するゴミ取り用ローラ対３１４、パーフォレーションを検出するパーフォセンサ３１６、搬送ローラ対３１８、写真フィルム２２に照射されるスリット光のうちフィルム画像のサイズに応じた範囲を遮光する遮光装置３２０、及び搬送ローラ対３２２が順に設置されている。搬送ローラ対３１２、３１８、３２２は、各々図６において下側に位置しているローラ３１２Ａ、３１８Ａ、３２２Ａが駆動ローラとされており、上側に位置しているローラ３１２Ｂ、３１８Ｂ、３２２Ｂが従動ローラとされている。
【００６７】
搬送ローラ対３１８、３２２は本発明に係る搬送手段のローラに対応しており、ラインＣＣＤ１１６による写真フィルム２２の読取位置を挟んで両側に設けられている。
【００６８】
また、筐体３０２の内部には、駆動ローラ３１２Ａ、３１８Ａ、３２２Ａの駆動力源であるパルスモータ３２４が設置されており、このパルスモータ３２４の駆動軸にはプーリー３２６が取付けられている。プーリー３２６には無端ベルト３２８が巻掛けられており、この無端ベルト３２８は駆動ローラ３２２Ａの回転軸に取付けられたプーリー３３０にも巻き掛けられている。従って、パルスモータ３２４の駆動力はプーリー３２６、無端ベルト３２８、プーリー３３０を介して駆動ローラ３２２Ａに伝達される。
【００６９】
また、駆動ローラ３２２Ａの回転軸にはプーリー３３２が取付けられており、このプーリー３３２には無端ベルト３３４が巻掛けられている。無端ベルト３３４は駆動ローラ３１８Ａの回転軸に取付けられたプーリー３３６にも巻掛けられており、パルスモータ３２４の駆動力は、プーリー３３２、無端ベルト３３４、プーリー３３６を介して駆動ローラ３１８Ａにも伝達される。また、駆動ローラ３１８Ａの回転軸にはプーリー３３８が取付けられており、このプーリー３３８には無端ベルト３４０が巻掛けられている。無端ベルト３４０は駆動ローラ３１２Ａの回転軸に取付けられたプーリー３４２にも巻掛けられており、パルスモータ３２４の駆動力は、プーリー３３８、無端ベルト３４０、プーリー３４２を介して駆動ローラ３１２Ａにも伝達される。
【００７０】
更に、筐体３０２の内部にはモータ３４４、３４６、３４８が設置されている。モータ３４４の駆動軸には円板３５０が偏心された状態で取付けられており、円板３５０の外縁付近の所定位置には、従動ローラ３２２Ｂを上下動させるための連結部材３５２の一端が回動可能に軸支されている。連結部材３５２は支軸３５４を中心に回転可能に支持されており、該連結部材３５２の他端側には従動ローラ３２２Ｂが回転可能に軸支されている。このため、モータ３４４の駆動力により円板３５０が矢印Ｃ方向に若干回転すると、連結部材３５２の上部（従動ローラ３２２Ｂの軸支部）は支軸３５４を中心に矢印Ｄ方向に若干回転し、従動ローラ３２２Ｂが駆動ローラ３２２Ａから若干離間する。
【００７１】
同様に、モータ３４８の駆動軸には円板３５６が偏心された状態で取付けられており、円板３５６の外縁付近の所定位置には、従動ローラ３１８Ｂを上下動させるための連結部材３５８の一端が固定されている。この連結部材３５８は支軸３６０を中心に回転可能に軸支されており、該連結部材３５８の他端側には従動ローラ３１８Ｂが回転可能に軸支されている。このため、モータ３４８の駆動力により円板３５６が矢印Ｅ方向に若干回転すると、連結部材３５８の上部（従動ローラ３１８Ｂの軸支部）は支軸３６０を中心に矢印Ｆ方向に若干回転し、従動ローラ３１８Ｂが駆動ローラ３１８Ａから若干離間する。
【００７２】
ところで、搬送ローラ対３１８、３２２間の略中央部は写真フィルム２２の読取位置とされており、上蓋３０２Ａには読取位置の直上に細長い開口３０２Ｃが設けられている。なお、図示は省略したが、ベース３０２Ｂにも読取位置の直下に、光源部３０から射出されたスリット光が通過するための同様の開口が設けられており、図３に示すようにフィルムキャリア３８によって搬送される写真フィルム２２に対し、読取位置において下方からスリット光が照射され、写真フィルム２２を透過した光が、フィルムキャリア３８の上方に位置している読取部４３に入射されるようになっている。
【００７３】
また、前述した遮光装置３２０は、図７に示すように、読取位置を通過する写真フィルム２２に照射されるスリット光のうち各フィルム画像のサイズに応じた範囲を遮光するものであり、写真フィルム２２の搬送路を挟んで一対設けられている（図６では手前側の遮光装置のみを示している）。この遮光装置３２０は、図６に示すようにモータ３４６、歯車３６２、３６４、及び歯車３６４の回転軸に取付けられたカム状の遮光板３６６を含んで構成されており、例えば、パノラマサイズのフィルム画像を読み取る場合は、図７に示すように、モータ３４６の駆動力により遮光板３６６を実線の位置まで回転させる。また、標準サイズ（所謂Ｌサイズ）のフィルム画像を読み取る場合は、遮光板３６６を図７の点線の位置まで回転させる。このように読取対象外の領域を遮光することにより、ラインＣＣＤ１１６（図３参照）で蓄積電荷の飽和が生ずることを防止している。
【００７４】
上述したように、フィルムキャリア３８は搬送ローラ対３１２、３１８、３２２によって写真フィルムを挟持して搬送する構成であるので、オペレータが挿入口３０４に写真フィルム２２の先端を挿入すれば、先端検出センサ３１０によって写真フィルム２２の先端が検出され、このタイミングで搬送ローラ対３１２、３１８、３２２を回転駆動することで写真フィルム２２を挟持搬送することができ、写真フィルム２２に記録された各フィルム画像を読取位置に順に位置させることができる。従って、大量の写真フィルム２２に記録されたフィルム画像を各々読み取る場合にも、オペレータに負担がかかることはない。
【００７５】
なお、上記では１３５サイズの写真フィルムを搬送するためのフィルムキャリア３８を例に説明したが、１コマ毎にスライド用のホルダに保持されたスライドフィルム（リバーサルフィルム）やＡＰＳフィルムについては、各々専用のフィルムキャリアが用意されており（ＡＰＳフィルム用のフィルムキャリアは磁気層に磁気記録された情報を読み取る磁気ヘッドを有している）、これらのフィルムキャリアを作業テーブル２７上にセットすることにより、前述した各種写真フィルムを読取位置に搬送してラインＣＣＤ１１６によってフィルム画像を読み取ることも可能とされている。
【００７６】
（画像処理部の構成）
次に画像処理部１６の構成について図８を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００７７】
暗補正回路１２４は、ラインＣＣＤ１１６の光入射側がＣＣＤシャッタ５２により遮光されている状態でラインＣＣＤスキャナ１４から入力されたデータ（ラインＣＣＤ１１６のセンシング部の各セルの暗出力レベルを表すデータ）を各セル毎に記憶しておき、ラインＣＣＤ１１６が写真フィルム２２を読み取ることによってラインＣＣＤスキャナ１４から入力された画像データから、各画素毎に対応するセルの暗出力レベルを減ずることによって補正する。
【００７８】
また、ラインＣＣＤ１１６の光電変換特性は各セル単位でのばらつきもある。欠陥画素補正部１２８の後段の明補正回路１３０では、ラインＣＣＤスキャナ１４に画面全体が一定濃度の調整用のフィルム画像がセットされている状態で、ラインＣＣＤ１１６で前記調整用のフィルム画像を読み取ることによりラインＣＣＤスキャナ１４から入力された調整用のフィルム画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のフィルム画像の画像データを、各セル毎に定めたゲインに応じて各画素毎に補正する。
【００７９】
一方、調整用のフィルム画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のフィルム画像の画像データに基づき欠陥画素のアドレスを記憶しておき、ラインＣＣＤスキャナ１４から入力された読取対象のフィルム画像の画像データのうち、欠陥画素のデータについては周囲の画素のデータから補間してデータを新たに生成する。なお、ラインＣＣＤはエリアＣＣＤと比較してＣＣＤセルの数が少ないので、欠陥画素補正部１２８は簡単な構成で済む。
【００８０】
また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、フィルム画像上で同一の画素のＲ、Ｇ、Ｂのデータが同時に出力されるように、各成分色毎に異なる遅延時間で画像データ出力タイミングの遅延を行う。
【００８１】
ラインスキャナ補正部１２２の出力端はセレクタ１３２の入力端に接続されており、補正部１２２から出力されたデータはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００８２】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のフィルム画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００８３】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００８４】
ところで、本実施形態では個々のフィルム画像に対し、ラインＣＣＤスキャナ１４において異なる解像度で２回の読み取りを行う。１回目の比較的低解像度での読み取り（以下、プレスキャンという）では、フィルム画像の濃度が極端に低い場合（例えばネガフィルムにおける露光オーバのネガ画像）にも、ラインＣＣＤ１１６で蓄積電荷の飽和が生じないように決定した読取条件（写真フィルム２２に照射する光のＲ、Ｇ、Ｂの各波長域毎の光量、ＣＣＤの電荷蓄積時間）でフィルム画像（写真フィルム２２）の読み取りが行われる。このプレスキャンによって得られたデータ（プレスキャンデータ）は、セレクタ１３２から入出力コントローラ１３４に入力され、更に入出力コントローラ１３４に接続されたオートセットアップエンジン１４４に出力される。
【００８５】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００８６】
オートセットアップエンジン１４４は、入出力コントローラ１３４から入力されたプレスキャンデータに基づいてフィルム画像を判定し、フィルム画像に対応する領域のデータ（プレスキャン画像データ）を抽出する。そして、プレスキャン画像データからフィルム画像の種別（サイズや濃度等）を判定し、コマ位置及び種別をラインＣＣＤスキャナ１４に出力すると共に、複数コマ分のフィルム画像のプレスキャン画像データに基づいて、ラインＣＣＤスキャナ１４による２回目の比較的高解像度での読み取り（以下、ファインスキャンという）によって得られる画像データ（ファインスキャン画像データ）に対する画像処理の処理条件を演算し、演算した処理条件をイメージプロセッサ部１３６のイメージプロセッサ１４０へ出力する。
【００８７】
この画像処理の処理条件の演算では、撮影時の露光量、撮影光源種やその他の特徴量から類似のシーンを撮影した複数のフィルム画像が有るか否か判定し、類似のシーンを撮影した複数のフィルム画像が有った場合には、これらのフィルム画像のファインスキャン画像データに対する画像処理の処理条件が同一又は近似するように決定する。
【００８８】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００８９】
更に、オートセットアップエンジン１４４は、入出力コントローラ１３４から入力されたフィルム画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００９０】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００９１】
パーソナルコンピュータ１５８は、ＣＰＵ１６０、メモリ１６２、請求項２に記載の表示手段としてのＣＲＴディスプレイ１６４（ＬＣＤでもよい）及び請求項２に記載の入力手段としてのキーボード１６６（図２も参照、マウス等のポインティングデバイスでもよい）、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はフィルムキャリア３８に接続されており、フィルムキャリア３８による写真フィルム２２の搬送を制御する。また、フィルムキャリア３８にＡＰＳフィルムがセットされた場合には、フィルムキャリア３８がＡＰＳフィルムの磁気層から読み取った情報（例えばプリントサイズ等）が入力される。
【００９２】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００９３】
なお、画像処理部１６は、プレスキャン画像データ等をパーソナルコンピュータ１５８に出力し、ラインＣＣＤスキャナ１４で読み取られたフィルム画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００９４】
（レーザプリンタ部及びプロセッサ部の構成）
次にレーザプリンタ部１８及びプロセッサ部２０の構成について説明する。図９には、レーザプリンタ部１８の光学系の構成が示されている。レーザプリンタ部１８は、レーザ光源２１０Ｒ、２１０Ｇ、２１０Ｂの３個のレーザ光源を備えている。レーザ光源２１０ＲはＲの波長のレーザ光を射出する半導体レーザ（ＬＤ）で構成されている。また、レーザ光源２１０Ｇは、ＬＤと、該ＬＤから射出されたレーザ光を１／２の波長のレーザ光に変換する波長変換素子（ＳＨＧ）から構成されており、ＳＨＧからＧの波長のレーザ光が射出されるようにＬＤの発振波長が定められている。同様に、レーザ光源２１０ＢもＬＤとＳＨＧから構成されており、ＳＨＧからＢの波長のレーザ光が射出されるようにＬＤの発振波長が定められている。
【００９５】
レーザ光源２１０Ｒ、２１０Ｇ、２１０Ｂのレーザ光射出側には、各々コリメータレンズ２１２、音響光学光変調素子（ＡＯＭ）２１４が順に配置されている。ＡＯＭ２１４は、入射されたレーザ光が音響光学媒質を透過するように配置されていると共に、ＡＯＭドライバ２１６（図１０参照）に接続されており、ＡＯＭドライバ２１６から高周波信号が入力されると、音響光学媒質内を前記高周波信号に応じた超音波が伝搬し、音響光学媒質を透過するレーザ光に音響光学効果が作用して回折が生じ、前記高周波信号の振幅に応じた強度のレーザ光がＡＯＭ２１４から回折光として射出される。
【００９６】
ＡＯＭ２１４の回折光射出側にはポリゴンミラー２１８が配置されており、各ＡＯＭ２１４から回折光として各々射出されたＲ、Ｇ、Ｂの波長の３本のレーザ光は、ポリゴンミラー２１８の反射面上の略同一の位置に照射され、ポリゴンミラー２１８で反射される。ポリゴンミラー２１８のレーザ光射出側にはｆθレンズ２２０、平面ミラー２２２が配置されており、ポリゴンミラー２１８で反射された３本のレーザ光はｆθレンズ２２０を透過し、平面ミラー２２２で反射されて印画紙２２４に照射される。
【００９７】
図１０にはレーザプリンタ部１８及びプロセッサ部２０の電気系の概略構成が示されている。レーザプリンタ部１８は画像データを記憶するフレームメモリ２３０を備えている。フレームメモリ２３０はＩ／Ｆ回路２３２を介して画像処理部１６に接続されており、画像処理部１６から入力された記録用画像データ（印画紙２２４に記録すべき画像の各画素毎のＲ、Ｇ、Ｂ濃度を表す画像データ）はＩ／Ｆ回路２３２を介してフレームメモリ２３０に一旦記憶される。フレームメモリ２３０はＤ／Ａ変換器２３４を介して露光部２３６に接続されていると共に、プリンタ部制御回路２３８に接続されている。
【００９８】
露光部２３６は、前述のようにＬＤ（及びＳＨＧ）から成るレーザ光源２１０を３個備えていると共に、ＡＯＭ２１４及びＡＯＭドライバ２１６も３系統備えており、ポリゴンミラー２１８、ポリゴンミラー２１８を回転させるモータを備えた主走査ユニット２４０が設けられている。露光部２３６はプリンタ部制御回路２３８に接続されており、プリンタ部制御回路２３８によって各部の動作が制御される。
【００９９】
印画紙２２４への画像の記録を行う場合、プリンタ部制御回路２３８は、記録用画像データが表す画像を走査露光によって印画紙２２４に記録するために、画像処理部１６から入力された画像記録用パラメータに基づき、記録用画像データに対して各種の補正を行って走査露光用画像データを生成し、フレームメモリ２３０に記憶させる。そして、露光部２３６のポリゴンミラー２１８を回転させ、レーザ光源２１０Ｒ、２１０Ｇ、２１０Ｂからレーザ光を射出させると共に、生成した走査露光用画像データをフレームメモリ２３０からＤ／Ａ変換器２３４を介して露光部２３６へ出力させる。これにより、走査露光用画像データがアナログ信号に変換されて露光部２３６に入力される。
【０１００】
ＡＯＭドライバ２１６は、入力されたアナログ信号のレベルに応じてＡＯＭ２１４に供給する超音波信号の振幅を変化させ、ＡＯＭ２１４から回折光として射出されるレーザ光の強度をアナログ信号のレベル（すなわち、印画紙２２４に記録すべき画像の各画素のＲ濃度及びＧ濃度及びＢ濃度の何れか）に応じて変調する。従って、３個のＡＯＭ２１４からは印画紙２２４に記録すべき画像のＲ、Ｇ、Ｂ濃度に応じて強度変調されたＲ、Ｇ、Ｂのレーザ光が射出され、これらのレーザ光はポリゴンミラー２１８、ｆθレンズ２２０、ミラー２２２を介して印画紙２２４に照射される。
【０１０１】
そして、ポリゴンミラー２１８の回転に伴って各レーザ光の照射位置が図９矢印Ｂ方向に沿って走査されることにより主走査が成され、印画紙２２４が図９矢印Ｃ方向に沿って一定速度で搬送されることによりレーザ光の副走査が成され、走査露光によって印画紙２２４に画像が記録される。走査露光によって画像が記録された印画紙２２４はプロセッサ部２０へ送り込まれる。
【０１０２】
プリンタ部制御回路２３８にはプリンタ部ドライバ２４２が接続されており、プリンタ部ドライバ２４２には、露光部２３６に対して送風するファン２４４、レーザプリンタ部に装填されたマガジンに収納されている印画紙をマガジンから引き出すためのマガジンモータ２４６が接続されている。また、プリンタ部制御回路２３８には、印画紙２２４の裏面に文字等をプリントするバックプリント部２４８が接続されている。これらのファン２４４、マガジンモータ２４６、バックプリント部２４８はプリンタ部制御回路２３８によって作動が制御される。
【０１０３】
また、プリンタ部制御回路２３８には、未露光の印画紙２２４が収納されるマガジンの着脱及びマガジンに収納されている印画紙のサイズを検出するマガジンセンサ２５０、オペレータが各種の指示を入力するための操作盤２５２（図２も参照）、プロセッサ部２０で現像等の処理が行われて可視化された画像の濃度を測定する濃度計２５４、プロセッサ部２０のプロセッサ部制御回路２５６が接続されている。
【０１０４】
プロセッサ部制御回路２５６には、プロセッサ部２０の機体内の印画紙搬送経路を搬送される印画紙２２４の通過の検出や、処理槽内に貯留されている各種の処理液の液面位置の検出等を行う各種センサ２５８が接続されている。
【０１０５】
また、プロセッサ部制御回路２５６には、現像等の処理が完了して機体外に排出された印画紙を所定のグループ毎に仕分けするソータ２６０（図２参照）、処理槽内に補充液を補充する補充システム２６２、ローラ等の洗浄を行う自動洗浄システム２６４が接続されていると共に、プロセッサ部ドライバ２６６を介して、各種ポンプ／ソレノイド２６８が接続されている。これらのソータ２６０、補充システム２６２、自動洗浄システム２６４、及び各種ポンプ／ソレノイド２６８はプロセッサ部制御回路２５６によって作動が制御される。
【０１０６】
（作用）
次に本実施例の作用として、まずラインＣＣＤスキャナ１４のマイクロプロセッサ４６によって実行されるラインスキャナ制御処理について、図１１のフローチャートを参照して説明する。
【０１０７】
ラインＣＣＤスキャナ１４は、一例として次の表１に示すように、「初期状態モード」「プレスキャンモード」「ファインスキャンモード」「パワーセーブモード」「明補正モード」「暗補正モード」「リニアリティ補正モード」の複数のモードが予め定められていると共に、各モードにおけるラインＣＣＤスキャナ１４の各部の状態も予め定められている（「ファインスキャンモード」については更にファインスキャンを行うフィルム画像の濃度種別（例えば高濃度／低濃度／パノラマサイズ／超高濃度／標準濃度）毎に各部の状態が定められている）。
【０１０８】
【表１】
0003709268.tif 000002
なお、表１では非標準サイズとしてパノラマサイズのみを示しているが、ハイビジョンサイズ等の他のサイズのフィルム画像に対してファインスキャンを行うときの各部の状態についても、別個に定めるようにしてもよい。
【０１０９】
ラインＣＣＤスキャナ１４の電源が投入されると、マイクロプロセッサ４６では図１１に示すラインスキャナ制御処理を実行し、まずステップ４００では「初期状態モード」に移行し、「初期状態モード」として定められている各部の状態に従って各部の作動を制御する。すなわちランプドライバ５３によってランプ３２を点灯させ、絞り駆動モータ５６によって絞り３９を全開位置に移動させ、レンズ絞り駆動モータ６２によってレンズ絞り５２を全開位置に移動させ、シャッタ駆動モータ６４によってＣＣＤシャッタ５２を全開位置に移動させる。
【０１１０】
次のステップ４０２ではラインＣＣＤ１１６の暗補正を行うか否か判定する。判定が否定された場合にはステップ４０４へ移行し、ラインＣＣＤ１１６の明補正を行うか否か判定する。この判定も否定された場合にはステップ４０６へ移行し、ラインＣＣＤ１１６のリニアリティ補正を行うか否か判定する。この判定も肯定された場合にはステップ４０８へ移行し、パワーセーブモードに移行するか否か判定する。この判定も否定された場合にはステップ４１０へ移行し、フィルム画像の読み取りを行うか否か判定する。ステップ４１０の判定も否定された場合にはステップ４０２に戻り、ステップ４０２〜４１０を繰り返す。
【０１１１】
暗補正、明補正及びリニアリティ補正は定期的（例えば１日の始業時等）に行われる。暗補正の実行タイミングが到来すると、ステップ４０２の判定が肯定されてステップ４１２へ移行する。ステップ４１２では「暗補正モード」に移行し、「暗補正モード」として定められている各部の状態に従って各部の作動を制御する。すなわちランプドライバ５３によってランプ３２を消灯させ、シャッタ駆動モータ６４によってＣＣＤシャッタ５２を全閉位置に移動させる。また、ターレット駆動モータ５４によってターレット３６、３７を全開位置（調光フィルタが嵌め込まれていない孔が光軸上に位置する位置）へ回転させ、レンズユニット５０によるズーム倍率が１．０倍となるように読取部駆動モータ５８、レンズ駆動モータ６０によってケーシング４４及びレンズユニット５０をスライド移動させ、絞り駆動モータ５６によって絞り３９を全開位置に移動させる。更に、暗補正モードであることを画像処理部１６に通知する。
【０１１２】
上記によりラインＣＣＤ１１６に光が入射されない状態となる。画像処理部１６では、ラインＣＣＤスキャナ１４から入力されたデータ（ラインＣＣＤ１１６からは出力された暗出力に相当する信号がＡ／Ｄ変換されたデータ）をラインＣＣＤ１１６の暗補正用のデータとして記憶する。次のステップ４１４では暗補正モードを終了するか否か判定し、判定が肯定される迄待機する。ステップ４１４の判定が肯定されるとステップ４００に戻って初期状態モードに移行した後に、前述のステップ４０２〜４１０を繰り返す。
【０１１３】
また、明補正の実行タイミングが到来すると、ステップ４０４の判定が肯定されてステップ４１６へ移行する。ステップ４１６では「明補正モード」に移行し、「明補正モード」として定められている各部の状態に従って各部の作動を制御する。すなわちランプドライバ５３によってランプ３２を点灯させ、絞り駆動モータ５６によって絞り３９を明補正時の位置（Ｐ5 ）に移動させ、ターレット駆動モータ５４によってターレット３６、３７を全開位置へ回転させ、レンズユニット５０によるズーム倍率が１．０倍となるように読取部駆動モータ５８、レンズ駆動モータ６０によってケーシング４４及びレンズユニット５０をスライド移動させ、レンズ絞り駆動モータ６２によってレンズ絞り５１を全開位置に移動させ、シャッタ駆動モータ６４によってＣＣＤシャッタ５２を全開位置に移動させる。また、明補正モードであることを画像処理部１６に通知する。
【０１１４】
これにより画像処理部１６では、ラインＣＣＤスキャナ１４から入力されたデータに基づいて、ラインＣＣＤ１１６の各セル毎に明補正用のゲインを定める。次のステップ４１８では明補正モードを終了するか否か判定し、判定が肯定される迄待機する。ステップ４１８の判定が肯定されるとステップ４００に戻って初期状態モードに移行した後に、前述のステップ４０２〜４１０を繰り返す。
【０１１５】
また、リニアリティ補正の実行タイミングが到来すると、ステップ４０６の判定が肯定されてステップ４２０へ移行する。ステップ４１６では「リニアリティ補正モード」に移行し、「リニアリティ補正モード」として定められている各部の状態に従って各部の作動を制御する。すなわち、ランプドライバ５３によってランプ３２を点灯させ、絞り駆動モータ５６によって絞り３９をリニアリティ補正時の位置（Ｐ6 ）に移動させ、ターレット駆動モータ５４によってターレット３６、３７を全開位置へ回転させ、レンズユニット５０によるズーム倍率が１．０倍となるように読取部駆動モータ５８、レンズ駆動モータ６０によってケーシング４４及びレンズユニット５０をスライド移動させ、レンズ絞り駆動モータ６２によってレンズ絞り５１を全開位置に移動させ、シャッタ駆動モータ６４によってＮＤフィルタが光路上に位置するようにＣＣＤシャッタ５２を移動させる。また、リニアリティ補正モードであることを画像処理部１６に通知する。
【０１１６】
これにより画像処理部１６では、ラインＣＣＤスキャナ１４から入力されたデータに基づいて、ラインＣＣＤ１１６の各セル毎にリニアリティ補正用の補正値を定める。次のステップ４２２ではリニアリティ補正モードを終了するか否か判定し、判定が肯定される迄待機する。ステップ４２２の判定が肯定されるとステップ４００に戻って初期状態モードに移行した後に、前述のステップ４０２〜４１０を繰り返す。
【０１１７】
また、ラインＣＣＤスキャナ１４の電源が投入されたものの、何ら処理が実行されない状態が所定時間以上継続した等の場合には、ステップ４０８の判定が肯定されてステップ４２４へ移行する。ステップ４１６では「パワーセーブモード」に移行し、「パワーセーブモード」として定められている各部の状態に従って各部の作動を制御する。すなわち、ランプドライバ５３によってランプ３２を消灯させ（低デューティー比で点灯させてもよい）、絞り駆動モータ５６によって絞り３９を全閉位置に移動させる。これにより、処理の実行を待機している状態でのラインＣＣＤスキャナ１４による電力消費が低減される。
【０１１８】
次のステップ４２２ではパワーセーブモードを終了するか否か判定し、判定が肯定される迄待機する。何らかの処理の実行が指示されると、ステップ４２２の判定が肯定されてステップ４００に戻り、初期状態モードに移行した後に前述のステップ４０２〜４１０を繰り返す。
【０１１９】
また、オペレータによってフィルム画像の読み取りが指示されると、ステップ４１０の判定が肯定されてステップ４２８へ移行し、読取対象の写真フィルム２２がフィルムキャリア３８に挿入されたか否か判定し、判定が肯定される迄待機する。フィルムキャリア３８の挿入口３０４に読取対象の写真フィルム２２の先端が挿入され、これが先端検出センサ３１０によって検出されると、ステップ４２８の判定が肯定されてステップ４３０へ移行し、フィルム画像読取処理が行われる。以下、このフィルム画像読取処理について、図１２のフローチャートを参照して説明する。
【０１２０】
ステップ４５０では「プレスキャンモード」に移行し、写真フィルム２２に対するプレスキャンが所定の読取条件で行われるように、「プレスキャンモード」として定められている各部の状態に従って各部の作動を制御する。すなわち、ランプドライバ５３によってランプ３２を点灯させ、絞り駆動モータ５６によって絞り３９をプレスキャン時の位置（Ｐ0 ）に移動させ、ターレット駆動モータ５４によってターレット３６、３７を全開位置へ回転させ、レンズユニット５０によるズーム倍率が１．０倍となるように読取部駆動モータ５８、レンズ駆動モータ６０によってケーシング４４及びレンズユニット５０をスライド移動させ、レンズ絞り駆動モータ６２によってレンズ絞り５１を全開位置に移動させ、シャッタ駆動モータ６４によってＣＣＤシャッタ５２を全開位置に移動させる。また、タイミングジェネレータ７４に対し、ラインＣＣＤ１１６の電子シャッタの作動時間（ラインＣＣＤ１１６によるライン単位の読取周期（電荷蓄積時間))として最短値であるｔを設定し、フィルムキャリア３８に対し、写真フィルム２２の搬送速度として最速値である５×ｖを設定する。従って、写真フィルム２２に対するプレスキャンは比較的粗い解像度で高速に行われ、短時間で処理が完了する。
【０１２１】
次のステップ４５２ではフィルムキャリア３８に対し、所定方向（図６の矢印Ａ方向）への写真フィルム２２の搬送を指示し、最速の搬送速度（５×ｖ）で搬送される写真フィルム２２をラインＣＣＤ１１６によって最短の読取周期（ｔ）で読み取り、ラインＣＣＤ１１６から出力された信号に対して順次Ａ／Ｄ変換を行ってプレスキャンデータとして画像処理部１６へ順次出力するプレスキャンを開始する。次のステップ４５４では写真フィルム２２の末尾までプレスキャンを行ったか否か判定し、判定が肯定される迄待機する。
【０１２２】
上述したステップ４５０〜４５４は本発明の予備読取制御手段に対応している。このプレスキャン時には、写真フィルム２２上でのフィルム画像のコマ位置は未知であるが、プレスキャンではコマ位置の判定等は行わず、写真フィルム２２上の画像部と非画像部を区別することなく、写真フィルム２２の全面をラインＣＣＤ１１６によって読み取る。
【０１２３】
また、プレスキャンは写真フィルム２２の全面を読み取るので素抜け部も読取範囲に入ると共に、各フィルム画像のサイズ、濃度も未知であり、素抜けに近い低濃度のフィルム画像や、一部が素抜けになっている画像（例えばネガフィルムに記録されたパノラマサイズの画像等）が存在している可能性もあり、ラインＣＣＤ１１６で蓄積電荷の飽和が生ずる恐れがある。このため、プレスキャン時の絞り３９の位置（Ｐ0 ）を全閉状態に近い位置としており、これにより、写真フィルム２２上の素抜け部を透過した光がラインＣＣＤ１１６に入射されたときにも、ラインＣＣＤ１１６で蓄積電荷の飽和が生ずることが防止される。
【０１２４】
一方、ラインＣＣＤスキャナ１４でプレスキャンが開始され、ラインＣＣＤスキャナ１４から画像処理部１６へのプレスキャンデータの入力が開始されると、オートセットアップエンジン１４４のＣＰＵ１４６では、ラインスキャナ補正部１２２、セレクタ１３２を介して入力されたプレスキャンデータをＲＡＭ１４８に順次記憶させると共に、この処理と並行してオートセットアップ処理を行う。以下、このオートセットアップ処理について図１３のフローチャートを参照して説明する。
【０１２５】
ステップ５００では、未処理のプレスキャンデータがＲＡＭ１４８に所定量以上蓄積されたか否か判定する。判定が否定された場合にはステップ５０２へ移行し、パーソナルコンピュータ１５８から修正指示（詳細は後述）が入力されたか否か判定する。この判定も否定された場合にはステップ５０４へ移行し、パーソナルコンピュータ１５８から検定完了（詳細は後述）が通知されたか否か判定する。この判定も否定された場合にはステップ５００へ戻り、何れかの判定が肯定される迄ステップ５００〜５０４を繰り返す。
【０１２６】
ＲＡＭ１４８に未処理のプレスキャンデータが所定量以上蓄積されると、ステップ５００の判定が肯定されてステップ５０６へ移行し、ＲＡＭ１４８に蓄積されたプレスキャンデータに基づき、写真フィルム２２に記録されているフィルム画像の写真フィルム２２の搬送方向に沿った両側（上流側及び下流側）のエッジ位置を各々判定する。このステップ５０６は本発明の判定手段に対応している。
【０１２７】
エッジ位置の判定は、たとえ本願出願人が特開平８−３０４９３２号公報、特開平８−３０４９３３号公報、特開平８−３０４９３４号公報、特開平８−３０４９３５号公報で提案しているように、プレスキャンデータが表す各画素毎の濃度値に基づき、各画素毎にフィルム長手方向に沿った濃度変化値を各々演算し、各画素のフィルム長手方向に沿った濃度変化値をフィルム幅方向に沿ったライン単位で積算し、各ライン毎の積算値を比較することで行うことができる。また、写真フィルム２２がＡＰＳフィルムであれば、パーフォレーションが穿設されている位置からエッジが存在している可能性がある領域を探索範囲として設定し、該探索範囲内でエッジを探索することで、エッジ位置の判定に要する時間を短縮することも可能である。
【０１２８】
次のステップ５０８では、上記で判定したエッジ位置に基づき、パーフォレーションの位置等と対応付けてフィルム画像のコマ位置を判定し、判定したコマ位置をＲＡＭ１４８に記憶する。ステップ５１０では、上記で判定したエッジ位置又はコマ位置に基づいて、ＲＡＭ１４８に記憶されているプレスキャンデータからフィルム画像が記録されている領域のデータ（プレスキャン画像データ）を切り出してＲＡＭ１４８に記憶し（請求項２に記載の切り出し手段に対応）、次のステップ５１２では切り出したプレスキャン画像データからフィルム画像の所定の画像特徴量を演算する。なお、所定の画像特徴量には、フィルム画像の色バランス値（詳しくは、フィルム画像の各成分色毎の最小濃度値（最大輝度値）の比率）も含まれる。
【０１２９】
そして、次のステップ５１４では、演算した画像特徴量に基づいて、フィルム画像の種別（サイズ、濃度種別）及びファインスキャン画像データに対する画像処理の処理条件を演算により設定する。なお、後述するファインスキャンではフィルム画像の種別によって読取条件が切り替わるので、ステップ５１４の処理のうち、フィルム画像の種別を設定する処理は本発明の読取条件設定手段に対応しており、画像処理の処理条件を設定する処理は請求項３に記載の処理条件演算手段に対応している。
【０１３０】
なお、読取対象の写真フィルム２２が１３５サイズの写真フィルムであれば、フィルム画像のサイズ（この場合はフィルム画像のフレームサイズ）は、例えば標準サイズのフィルム画像では画像記録範囲内となり、パノラマサイズ等の非標準サイズのフィルム画像では画像記録範囲外となる所定部分の濃度や色味が、未露光部（ネガフィルムであれば素抜け）に相当する濃度や色味であるか否かに基づいて判定することができる。
【０１３１】
また、特開平８−３０４９３２号公報、特開平８−３０４９３３号公報、特開平８−３０４９３４号公報、特開平８−３０４９３５号公報のように、プレスキャン画像データが表す各画素毎の濃度値に基づき、各画素毎にフィルム幅方向に沿った濃度変化値を各々演算し、各画素のフィルム幅方向に沿った濃度変化値をフィルム長手方向に沿ったライン単位で積算し、各ライン毎の積算値を比較することでフィルム画像のサイズ（アスペクト比）を判定したり、濃度ヒストグラムから閾値を定めて画像を二値化し、画像中の各領域における画像の存在率に基づいて判定したり、前述の所定部分における濃度変化値の分散及び平均値に基づいて判定したり、上記の手法を組み合わせて判定するようにしてもよい。
【０１３２】
また、読取対象の写真フィルム２２がＡＰＳフィルムであれば、フィルム画像のサイズ（この場合はプリントサイズ）は、ＡＰＳフィルムの磁気層にデータとして磁気記録されているプリントサイズを読み取ることで判定できる。
【０１３３】
フィルム画像の濃度種別については、例えば平均濃度、最大濃度、最小濃度等を予め定められた所定値と比較することで、低濃度／通常濃度／高濃度／超高濃度等に分類することができる。また、画像処理の処理条件としては、例えば画像の拡大縮小率、ハイパートンやハイパーシャープネス等の画像処理の処理条件（具体的には、画像の超低周波輝度成分に対する階調の圧縮度、画像の高周波成分や中周波成分に対するゲイン（強調度))、階調変換条件等が演算される。
【０１３４】
上記のようにして単一のフィルム画像について、エッジ位置の判定、プレスキャン画像データの切り出し、種別及び画像処理の処理条件の設定を行うとステップ５１６へ移行し、所定数（例えば６コマ程度）のフィルム画像に対して上記の処理を行ったか否か判定する。判定が否定された場合にはステップ５２０へ移行し、ＲＡＭ１４８に蓄積されている未処理のプレスキャンデータの中に他のフィルム画像が含まれているか否か判定する。判定が肯定された場合にはステップ５０６に戻り、ステップ５０６〜５２０を繰り返す。また、ステップ５２０の判定が否定されるとステップ５００に戻ってステップ５００〜５０４を繰り返す。そして、未処理のプレスキャンデータが再度ＲＡＭ１４８に所定量以上蓄積されると、ステップ５００の判定が肯定されてステップ５０６〜５２０を繰り返す。
【０１３５】
また、所定数のフィルム画像についてエッジ位置の判定、プレスキャン画像データの切り出し、種別及び画像処理の処理条件の設定を行うとステップ５１６の判定が肯定され、ステップ５１８でパーソナルコンピュータ１５８に対して画像検定処理の実行を指示した後にステップ５２０へ移行する。これにより、パーソナルコンピュータ１５８のＣＰＵ１６０は画像検定処理を実行する。この画像検定処理について、図１４のフローチャートを参照して説明する。
【０１３６】
ステップ５４０では、オートセットアップエンジン１４４から、所定数のフィルム画像のプレスキャン画像データ及び画像処理の処理条件を取り込むと共に、読取対象の写真フィルム２２上の前記所定数のフィルム画像が記録されている範囲に対応するプレスキャンデータを取り込む。
【０１３７】
次のステップ５４２では、先に取り込んだ所定数のフィルム画像のプレスキャン画像データ及び画像処理の処理条件から、何れか１つのフィルム画像のプレスキャン画像データ及び画像処理の処理条件を取り出し、取り出したプレスキャン画像データに対し、取り出した処理条件に従って所定の画像処理（画像の拡大縮小、階調変換、ハイパートーン処理、ハイパーシャープネス処理等）を行う。この所定の画像処理は、ファインスキャン画像データに対してイメージプロセッサ１４０で行われる画像処理と等価な画像処理であるが、プレスキャンはファインスキャンよりも低解像度でフィルム画像を読み取るものであり、プレスキャン画像データはファインスキャン画像データよりもデータ量が少ないので、ステップ５４２における画像処理は比較的短時間で完了する。
【０１３８】
次のステップ５４４では、画像処理を行った画像データに対し、画像を表示するディスプレイ１６４の特性に応じて画像データを補正し、補正後のデータ（シミュレーション画像データ）をメモリ１６２に一旦記憶する。ステップ５４６では、所定数のフィルム画像に対して上記の処理を行ったか否か判定する。判定が否定された場合にはステップ５４２に戻り、ステップ５４０でプレスキャン画像データ及び処理条件を取り込んだ所定数の画像のうち、画像処理を未実行のフィルム画像に対してステップ５４２、５４４の処理を繰り返す。
【０１３９】
ステップ５４６の判定が肯定されるとステップ５４８へ移行し、先のステップ５４０で取り込んだプレスキャンデータを用い、例として図１５に示すように、読取対象の写真フィルム２２上の前記所定数のフィルム画像が記録されている範囲をイメージ３０２としてディスプレイ１６４に表示し、次のステップ５５０では、所定数のフィルム画像のシミュレーション画像データに基づいて、前記所定数のフィルム画像の画像データに対し、オートセットアップエンジン１４４で設定された処理条件で各々画像処理を行った結果を表す所定数のシミュレーション画像３００をディスプレイ１６４に表示する（図１５参照）。上記のステップ５４０〜５５０は請求項２及び請求項３に記載の表示制御手段に対応している。
【０１４０】
なお、図１５ではイメージ３０２として表示している写真フィルム上で、表示しているシミュレーション画像３００に対応するフィルム画像を枠３０４で囲んで明示している。シミュレーション画像の表示は、図１５に示した例に限定されるものではなく、オペレータが表示画像の切替えを指示する毎に、所定数のシミュレーション画像を１フレームずつ順次表示するようにしてもよい。また、表示しているシミュレーション画像３００に対応するフィルム画像を枠３０４で囲んで表示することに代えて、周囲の色を変えて表示するようにしてもよい。
【０１４１】
次のステップ５５２では、オペレータにシミュレーション画像の検定を要請するメッセージをディスプレイ１６４に表示する等により、オペレータにシミュレーション画像の検定を要請する。
【０１４２】
これにより、オペレータはディスプレイ１６４に表示されているシミュレーション画像を目視で確認し、各種の判定を行って判定結果を入力する検定作業を行う。すなわち、まずオートセットアップエンジン１４４で判定されたフィルム画像のコマ位置が適正か否かを判定する。コマ位置が適正であると判断した場合にシミュレーション画像の画質が適正か否か（すなわちオートセットアップエンジン１４４で演算された処理条件が適正か否か）を判定し、画質（処理条件）が適正でないと判定した場合には処理条件をどのように修正すべきかを判断する。
【０１４３】
そして、表示されている全てのシミュレーション画像のコマ位置及び画質を適正と判定した場合には、検定結果として「検定ＯＫ」を表す情報をキーボード１６６を介して入力し、特定のシミュレーション画像のコマ位置が適正でないと判定した場合には、検定結果として、前記特定のシミュレーション画像のコマ位置をどのように修正するかを指示する情報をキーボード１６６を介して入力し、特定のシミュレーション画像の画質が適正でないと判定した場合には、検定結果として、前記特定のシミュレーション画像に対応する特定のフィルム画像に対して処理条件の修正を指示する情報をキーボード１６６を介して入力する。
【０１４４】
例えば、ストロボを用いて撮影したフィルム画像や逆光のシーンを撮影したフィルム画像はコントラストが過剰に高く、シミュレーション画像上で主要被写体に対して背景のとび、又はつぶれが発生する。このような場合、オペレータは画像中の背景に相当する領域についてのみ階調が圧縮されるように、すなわちハイパートーン処理による画像の超低周波明るさ成分（画像から抽出した超低周波輝度成分の画像における高輝度の領域）の階調の圧縮度合いが高くなるように、処理条件の修正を指示する情報として画像の超低周波輝度成分のうち高輝度のデータに対する強調度の修正を指示する情報を入力する。
【０１４５】
また、例えばシミュレーション画像上でシャープネスが不足している場合、オペレータはシャープネスが強調されるように、処理条件の修正を指示する情報として画像の高周波成分等に対する強調度の修正を指示する情報を入力する。また、例えばアンダ露光やオーバ露光のフィルム画像は、シミュレーション画像の濃度が全体的に高濃度側又は低濃度側に偏倚したり、シミュレーション画像のコントラストが過剰に低くなる。このような場合、オペレータは、全体的な濃度やコントラストが適正となるように、処理条件の修正を指示する情報として階調変換条件の変換カーブの修正を指示する情報を入力する。
【０１４６】
次のステップ５５４では、キーボード１６６を介してオペレータから検定結果が入力されたか否か判定し、検定結果が入力される迄待機する。検定結果が入力されるとステップ５５６へ移行し、検定結果として入力された情報の内容を判定する。検定結果として、特定のシミュレーション画像に対応する特定のフィルム画像に対し、コマ位置の修正又は処理条件の修正を指示する情報が入力された場合にはステップ５５８へ移行し、入力された特定のフィルム画像に対するコマ位置又は処理条件の修正指示をオートセットアップエンジン１４４へ出力する。そしてステップ５６０では、オートセットアップエンジン１４４から前記特定のフィルム画像のコマ位置又は処理条件の修正の完了が通知されたか否か判定し、判定が肯定される迄待機する。
【０１４７】
上記の修正指示が入力されると、オートセットアップエンジン１４４では、オートセットアップ処理（図１３参照）のステップ５０２の判定が肯定され、ステップ５２２へ移行する。ステップ５２２では、パーソナルコンピュータ１５８から入力された修正指示に応じた修正処理を行う。
【０１４８】
すなわち、入力された修正指示が特定のフィルム画像のコマ位置を修正する指示であった場合には、特定のフィルム画像のコマ位置を前記修正指示に応じて修正した後に（この処理は請求項２に記載の判定手段に対応している）、先に説明したステップ５１０〜５１４と同様に、修正したコマ位置に従ってプレスキャンデータからプレスキャン画像データを再度切り出し、切り出したプレスキャン画像データから所定の画像特徴量を演算し、前記特定のフィルム画像の種別及び画像処理の処理条件を演算により再度設定する。上記のようにコマ位置を修正することで、ファインスキャン時に写真フィルム２２上の画像部を確実に読み取ることができる。
【０１４９】
また、入力された修正指示が特定のフィルム画像の処理条件を修正する指示であった場合には、前記特定のフィルム画像の処理条件の修正のみを行う。例えば処理条件の修正指示が、特定の周波数成分に対する強調度を修正する指示であれば、画像処理の処理条件のうち、該当する周波数成分に対する強調度を修正し、処理条件の修正指示が、階調変換条件の変換カーブを修正する指示であれば、画像処理の処理条件のうち、階調変換条件が表す変換カーブを、修正指示に応じて全体的又は部分的に修正する。この処理は請求項３に記載の処理条件演算手段に対応している。これにより、各フィルム画像に対して適切な処理条件を確実に設定することができる。
【０１５０】
上記のようにしてコマ位置又は処理条件の修正を完了すると、ステップ５２４において、修正した処理条件をＲＡＭ１４８等に記憶すると共に、特定のフィルム画像に対するコマ位置又は処理条件の修正の完了をパーソナルコンピュータ１５８に通知し、ステップ５００に戻ってステップ５００〜５０４を繰り返す。
【０１５１】
上記のようにしてオートセットアップエンジン１４４からコマ位置又は処理条件の修正の完了が通知されると、パーソナルコンピュータ１５８では、画像検定処理（図１４参照）のステップ５６０の判定が肯定されてステップ５６２へ移行し、コマ位置又は処理条件の修正が行われた特定のフィルム画像のプレスキャン画像データ及び処理条件をオートセットアップエンジン１４４から取り込み、ステップ５４２に戻る。
【０１５２】
これにより、コマ位置又は処理条件の修正が行われた特定のフィルム画像について、ステップ５４２、５４４の処理が再度行われ、特定のフィルム画像のシミュレーション画像がディスプレイ１６４に再表示されることになる。そして、再表示された特定のフィルム画像のシミュレーション画像をオペレータが目視で確認することにより、先に入力した修正指示の内容が適正か否かをオペレータが容易に判断することが可能となる。
【０１５３】
ステップ５４２〜５６２の処理は、オペレータにより、ディスプレイ１６４に表示されている全てのシミュレーション画像のコマ位置及び画質が各々適正と判定され、検定結果として「検定ＯＫ」を表す情報が入力される迄（ステップ５５６の判定が肯定される迄）繰り返され、表示しているシミュレーション画像に対応する各フィルム画像のコマ位置や処理条件がオペレータからの指示に応じて修正される。そして、オペレータからキーボード１６６を介して「検定ＯＫ」を表す情報が入力され、ステップ５５６の判定が肯定されると、ステップ５６４へ移行してオートセットアップエンジン１４４に対して検定処理の完了を通知する。上記により所定数のフィルム画像に対する検定処理が完了する。
【０１５４】
次のステップ５６６では、検定すべき全てのフィルム画像（読取対象の写真フィルム２２に記録されている全てのフィルム画像）に対して検定処理を行ったか否か判定する。判定が否定された場合にはステップ５４０に戻り、ステップ５４０以降の処理を繰り返す。これにより、読取対象の写真フィルム２２に記録されている全てのフィルム画像に対し、所定数のフィルム画像を単位として上記の画像検定処理が行われ、オートセットアップエンジン１４４で判定されたコマ位置や演算された処理条件が適正か否かが判定されると共に、必要に応じてコマ位置や処理条件が修正されることになる。
【０１５５】
またオートセットアップエンジン１４４では、検定完了が通知されると、オートセットアップ処理（図１３参照）のステップ５０４の判定が肯定されてステップ５２６へ移行し、検定が完了した所定数のフィルム画像について、コマ位置、種別及びステップ５１２で演算したフィルム画像の色バランス値をラインＣＣＤスキャナ１４に通知する。次のステップ５２８では、読取対象の写真フィルム２２に記録されている全てのフィルム画像について処理を完了したか否か判定する。判定が否定された場合にはステップ５００に戻り、ステップ５００〜５０４を繰り返す。
【０１５６】
従って、パーソナルコンピュータ１５８から検定完了が通知される毎に、ステップ５２６において、検定が完了した所定数のフィルム画像のコマ位置、種別及び色バランス値がラインＣＣＤスキャナ１４に通知される。そして、読取対象の写真フィルム２２に記録されている全てのフィルム画像に対する検定処理が完了し、ラインＣＣＤスキャナ１４に対して前記全てのフィルム画像のコマ位置、種別及び色バランス値を通知すると、ステップ５２８の判定が肯定されてオートセットアップ処理を終了する。
【０１５７】
一方、ラインＣＣＤスキャナ１４では、読取対象の写真フィルム２２の末尾迄プレスキャンを行うと、フィルム画像読取処理（図１２参照）のステップ４５４が肯定され、ステップ４５６へ移行する。ステップ４５６では、画像処理部１６のオートセットアップエンジン１４４から、読取対象の写真フィルム２２に記録されている全てのフィルム画像のコマ位置、種別及び色バランス値が通知されたか否か判定し、判定が肯定される迄待機する。ステップ４５６の判定が肯定されるとステップ４５８へ移行し、フィルム画像のファインスキャンを行うために、フィルムキャリア３８に対し所定方向と反対の方向（図６の矢印Ｂ方向）への写真フィルム２２の搬送を指示する。
【０１５８】
次のステップ４６０以降では、これからファインスキャンを行うフィルム画像の種別に適した読取条件で前記フィルム画像のファインスキャンが行われるように、ラインＣＣＤスキャナ１４の各部の作動を制御する。すなわちステップ４６０では、これからファインスキャンを行うフィルム画像（この場合は所定方向と反対の方向への写真フィルム２２の搬送で最初に読取位置に到達するフィルム画像）の種別を取り込み、前記フィルム画像の種別が「高濃度コマ」か否か判定する。判定が肯定された場合には、ステップ４６２で「ファインスキャンモード（高濃度コマ）」に移行し、「ファインスキャンモード（高濃度コマ）」として定められている各部の状態に従って各部の作動を制御し、ステップ４７８へ移行する。
【０１５９】
すなわち、ランプ３２を点灯させ、絞り３９を高濃度コマのファインスキャン時の位置（Ｐ1 ）に移動させ、フィルム画像の色バランス値に応じた調光フィルタが光路上に位置するようにターレット３６、３７を回転させ（表１ではこのときのターレット３６、３７の位置を便宜的に「Ｐ1 」と表記）、レンズユニット５０によるズーム倍率が１．０倍となるようにケーシング４４及びレンズユニット５０をスライド移動させ、レンズ絞り５１及びＣＣＤシャッタ５２を全開位置に移動させる。また、タイミングジェネレータ７４に対し、ラインＣＣＤ１１６の電子シャッタの作動時間（読取周期）としてｔを設定し、フィルムキャリア３８に対し、写真フィルム２２の搬送速度としてｖを設定する。高濃度のフィルム画像は透過光量が少なく、高濃度のフィルム画像を高ダイナミックレンジで高精度に読み取るために、高濃度コマのファインスキャン時の絞り３９の位置（Ｐ1 ）は全開に近い位置とされている。
【０１６０】
また、ステップ４６０の判定が否定された場合にはステップ４６４へ移行し、これからファインスキャンを行うフィルム画像の種別が「低濃度コマ」か否か判定する。判定が肯定された場合には、ステップ４６６で「ファインスキャンモード（低濃度コマ）」に移行し、「ファインスキャンモード（低濃度コマ）」として定められている各部の状態に従って各部の作動を制御し、ステップ４７８へ移行する。
【０１６１】
すなわち、ランプ３２を点灯させ、絞り３９を低濃度コマのファインスキャン時の位置（Ｐ2 ）に移動させ、フィルム画像の色バランス値に応じた調光フィルタが光路上に位置するようにターレット３６、３７を回転させ（表１ではこのときのターレット３６、３７の位置を便宜的に「Ｐ2 」と表記）、レンズユニット５０によるズーム倍率が１．０倍となるようにケーシング４４及びレンズユニット５０をスライド移動させ、レンズ絞り５１及びＣＣＤシャッタ５２を全開位置に移動させる。また、タイミングジェネレータ７４に対し、ラインＣＣＤ１１６の電子シャッタの作動時間（読取周期）としてｔを設定し、フィルムキャリア３８に対し、写真フィルム２２の搬送速度としてｖを設定する。低濃度のフィルム画像は透過光量が多く、ラインＣＣＤ１１６で蓄積電荷の飽和が生ずることなく低濃度のフィルム画像を読み取るために、低濃度コマのファインスキャン時の絞り３９の位置（Ｐ2 ）は、絞り３９による減光量が比較的大きくなる位置とされている。
【０１６２】
また、ステップ４６４の判定が否定された場合にはステップ４６８へ移行し、これからファインスキャンを行うフィルム画像の種別が「パノラマコマ」か否か判定する。判定が肯定された場合には、ステップ４７０で「ファインスキャンモード（パノラマコマ）」に移行し、「ファインスキャンモード（パノラマコマ）」として定められている各部の状態に従って各部の作動を制御し、ステップ４７８へ移行する。
【０１６３】
すなわち、ランプ３２を点灯させ、絞り３９をパノラマコマのファインスキャン時の位置（Ｐ3 ）に移動させ、フィルム画像の色バランス値に応じた調光フィルタが光路上に位置するようにターレット３６、３７を回転させ（表１ではこのときのターレット３６、３７の位置を便宜的に「Ｐ3 」と表記）、レンズユニット５０によるズーム倍率が１．３倍となるようにケーシング４４及びレンズユニット５０をスライド移動させ、レンズ絞り５１をパノラマコマのファインスキャン時の位置（Ｐ1 ）に移動させ、ＣＣＤシャッタ５２を全開位置に移動させる。また、タイミングジェネレータ７４に対し、ラインＣＣＤ１１６の電子シャッタの作動時間（読取周期）としてｔを設定し、フィルムキャリア３８に対し、写真フィルム２２の搬送速度としてｖ÷１．３を設定する。パノラマサイズのフィルム画像は記録材料に画像を記録する際の拡大率が大きいため、ズーム倍率を１．３倍、写真フィルム２２の搬送速度を１／１．３としており、通常サイズのフィルム画像よりも相対的に細かく読み取るようにしている。
【０１６４】
また、ステップ４６８の判定が否定された場合にはステップ４７２へ移行し、これからファインスキャンを行うフィルム画像の種別が「超高濃度コマ」か否か判定する。判定が肯定された場合には、ステップ４７３で「ファインスキャンモード（超高濃度コマ）」に移行し、「ファインスキャンモード（超高濃度コマ）」として定められている各部の状態に従って各部の作動を制御し、ステップ４７８へ移行する。
【０１６５】
すなわち、ランプ３２を点灯させ、絞り３９を超高濃度コマのファインスキャン時の位置（Ｐ4 ）に移動させ、フィルム画像の色バランス値に応じた調光フィルタが光路上に位置するようにターレット３６、３７を回転させ（表１ではこのときのターレット３６、３７の位置を便宜的に「Ｐ4 」と表記）、レンズユニット５０によるズーム倍率が１．０倍となるようにケーシング４４及びレンズユニット５０をスライド移動させ、レンズ絞り５１及びＣＣＤシャッタ５２を全開位置に移動させる。また、タイミングジェネレータ７４に対し、ラインＣＣＤ１１６の電子シャッタの作動時間（読取周期）として４×ｔを設定し、フィルムキャリア３８に対し、写真フィルム２２の搬送速度としてｖ÷４を設定する。超高濃度のフィルム画像は透過光量が非常に少ないので、超高濃度コマのファインスキャン時の絞り３９の位置（Ｐ4 ）は略全開位置とされているが、絞り３９を略全開にしても透過光量が不足しているので、超高濃度のフィルム画像を高ダイナミックレンジで高精度に読み取るために、更に電子シャッタの作動時間（読取周期）を４倍、写真フィルム２２の搬送速度を１／４としており、通常サイズのフィルム画像よりも相対的に低速で読み取るようにしている。
【０１６６】
また、ステップ４７２の判定が否定された場合には、ステップ４７４へ移行し、これからファインスキャンを行うフィルム画像の種別が「標準濃度コマ」か否か判定する。判定が肯定された場合には、ステップ４７５で「ファインスキャンモード（標準濃度コマ）」に移行し、「ファインスキャンモード（標準濃度コマ）」として定められている各部の状態に従って各部の作動を制御し、ステップ４７８へ移行する。
【０１６７】
すなわち、ランプ３２を点灯させ、絞り３９を標準濃度コマのファインスキャン時の位置（Ｐ7 ）に移動させ、フィルム画像の色バランス値に応じた調光フィルタが光路上に位置するようにターレット３６、３７を回転させ（表１ではこのときのターレット３６、３７の位置を便宜的に「Ｐ7 」と表記）、レンズユニット５０によるズーム倍率が１．０倍となるようにケーシング４４及びレンズユニット５０をスライド移動させ、レンズ絞り５１及びＣＣＤシャッタ５２を全開位置に移動させる。また、タイミングジェネレータ７４に対し、ラインＣＣＤ１１６の電子シャッタの作動時間（読取周期）としてｔを設定し、フィルムキャリア３８に対し、写真フィルム２２の搬送速度としてｖを設定する。なお、標準濃度コマのファインスキャン時の絞り３９の位置（Ｐ7 ）は、その濃度に対応して、低濃度コマのファインスキャン時の絞り３９の位置（Ｐ2 ）よりは開いており、高濃度コマのファインスキャン時の絞り３９の位置（Ｐ1 ）よりは閉じている位置とされている。
【０１６８】
また、ステップ４７４の判定が否定された場合には、これからファインスキャンを行うフィルム画像は、サイズが標準サイズで、濃度も標準的な濃度範囲に入っていると判断できるので、ステップ４７６において、標準的な読取条件となるように各部の作動を制御し、ステップ４７８へ移行する。
【０１６９】
なお、ターレット３６、３７を回転させることによる各成分色光の光量の割合の変化は段階的であるので、色バランス値に応じたターレット３６、３７の回転に加えて、ラインＣＣＤ１１６の電子シャッタの各成分色毎の作動時間を色バランス値に応じて調整するようにしてもよい。これにより、ラインＣＣＤ１１６によるフィルム画像の読み取りにおいて、ラインＣＣＤ１１６に入射される各成分色光の１ライン毎の積算光量が、ラインＣＣＤ１１６の蓄積電荷の飽和が生じない範囲で最大とすることができ、フィルム画像を各成分色毎に高ダイナミックレンジで読み取ることができる。
【０１７０】
ステップ４７８では、オートセットアップエンジン１４４から通知されたコマ位置に基づき、これからファインスキャンを行うフィルム画像のエッジがラインＣＣＤ１１６の読取位置（光軸位置）に到達したか否か判定し、判定が肯定される迄待機する。ステップ４７８の判定が肯定されるとステップ４８０へ移行し、読取位置に到達したフィルム画像をラインＣＣＤ１１６によって読み取り、ラインＣＣＤ１１６から出力された信号に対して順次Ａ／Ｄ変換を行ってファインスキャンデータとして画像処理部１６へ順次出力するファインスキャンを行う。これにより、フィルム画像の種別毎に最適な読取条件で前記フィルム画像のファインスキャンが行われることになる。
【０１７１】
なお、ラインＣＣＤスキャナ１４から画像処理部１６に出力されたファインスキャン画像データは、イメージプロセッサ１４０において、先にオートセットアップエンジン１４４で演算（及び修正）された処理条件で画像処理が行われ、レーザプリンタ部１８へ出力されるか、画像ファイルとして外部へ出力されるか、又はハードディスク１６８等に記憶される。
【０１７２】
単一のフィルム画像に対するファインスキャンを完了するとステップ４８２へ移行し、読取対象の写真フィルム２２に記録されている全てのフィルム画像に対するファインスキャンを完了したか否か判定する。判定が否定された場合にはステップ４６０に戻り、ステップ４６０〜４８２を繰り返す。このステップ４６０〜４８２は本発明の本読取制御手段に対応しており、読取対象の写真フィルム２２に記録されている各フィルム画像の種別に応じた最適な読取条件で、各フィルム画像のファインスキャンが各々行われる。そして、ステップ４８２の判定が肯定されるとフィルム画像読取処理を終了し、ラインスキャナ制御処理（図１１参照）のステップ４３２へ移行する。
【０１７３】
ステップ４３２ではフィルム画像の読み取りを終了するか否か判定する。次の読取対象の写真フィルム２２に記録されたフィルム画像の読み取りを続けて行う場合には、ステップ４３２の判定が否定されてステップ４２８に戻り、次の読取対象の写真フィルム２２がフィルムキャリア３８に挿入されると（ステップ４２８の判定が肯定されると）、上記と同様にしてフィルム画像読取処理が行われることになる。また、ステップ４３２の判定が肯定されると、ステップ４００に戻って初期状態モードに移行した後に、前述のステップ４０２〜４１０が繰り返される。
【０１７４】
このように、本実施形態では写真フィルム２２を往復搬送し、単一のラインＣＣＤ１１６により往路で写真フィルム２２上の画像部と非画像部を区別することなくプレスキャンを行い、フィルム画像の記録位置の判定、読取条件の設定（フィルム画像の種別の設定）を行った後に、復路で前記読取条件に従って各フィルム画像のファインスキャンを行うので、プレスキャン専用のセンサ及び光学系と、ファインスキャン専用のセンサ及び光学系を各々設けることでコストが嵩んだり、プレスキャン時とファインスキャン時の搬送速度差を吸収するためのフィルムバッファ等を設けることで装置の構成が複雑になることを防止することができ、ラインＣＣＤスキャナ１４の小型化、構成の簡素化、低コスト化を実現できる。
【０１７５】
なお、絞り３９は、図４（Ｂ）に示したような切り欠き３９Ａが設けられた板材によって構成することに限定されるものではなく、例として図４（Ｄ）に示すように、板材のスライド方向に沿った一端側から他端側に向けて光透過率が連続的に変化するように光透過率のパターンが形成された板材６７によって構成するようにしてもよいし、例として図４（Ｅ）に示すように、光透過性を有しない板材６８によって構成するようにしてもよい。
【０１７６】
また、上記では各成分色毎の光量を絞り３９及びターレット３６、３７によって調整するようにしていたが、これに限定されるものではなく、各成分色毎に調光フィルタを設けると共に、光路に対して調光フィルタを進退移動させる機構を各調光フィルタに対して各々設け、光路への各調光フィルタの挿入量を各々独立に制御することで各成分色毎の光量を調整するようにしてもよい。
【０１７７】
また、上記では読取位置の直下の側方に横向きにランプ３２を配置し、中間部が直角に屈曲された形状の光拡散ボックス４０により、ランプ３２から射出された光を読取位置に導いて読取対象の写真フィルム２２に光を照射するようにしていたが、光拡散ボックス４０に代えて、例えば図１６に示すように、多数本の光ファイバを束ね、中間部が緩やかに屈曲され、光入射口が円形、光射出口が偏平な矩形状に成形された光導光器を用いてもよい。この場合、光入射口及び光射出口の少なくとも一方に光拡散板を取付ければ、光拡散手段として用いることができる。また、図１７に示すように、光源としてのランプ３２を読取位置の直下に配置し、光拡散手段として、中間部が屈曲されていない形状の光拡散ボックス６５を用いてもよい。
【０１７８】
更に、上記では搬送手段として、写真フィルム２２を搬送ローラ対３１８、３２２で挟持して搬送する構成のフィルムキャリア３８を例に説明したが、これに限定されるものではなく、写真フィルム２２を無端のベルトによって挟持し、前記ベルトを回転駆動させることで写真フィルム２２を搬送する構成であってもよい。
【０１７９】
また、上記では写真フィルム２２を１回往復搬送させ、往路でプレスキャン、復路でファインスキャンを行う場合を説明したが、これに限定されるものではなく、写真フィルムを複数回往復搬送し、プレスキャン及びファインスキャンを各々往路で行ったり、プレスキャン及びファインスキャンを各々復路で行ったり、復路でプレスキャン、往路でファインスキャンを行うようにしてもよい。
【０１８０】
また、上記ではフィルム画像の読み取りにあたり、絞り３９の位置及びラインＣＣＤ１１６の電荷蓄積時間（電子シャッタの作動時間）を変更することで、ラインＣＣＤ１１６に蓄積される電荷量を調節するようにしていたが、これに限定されるものではなく、ランプ３２に供給する電圧の変更、又はランプ３２に高周波電力を供給して点灯させる際のデューティー比の変更によりランプ３２から射出される光の光量を変化させたり、レンズ絞り５１の位置を変化させたり、或いはこれらを組み合わせることで蓄積電荷量を調節するようにしてもよい。
【０１８１】
更に、上記ではレンズユニット５０のズーム倍率の変更と写真フィルム２２の搬送速度の変更を組み合わせて読み取りの解像度を変更していたが（上記の実施形態ではパノラマコマの解像度を変更）、これに限定されるものではなく、搬送速度の変更に代えてラインＣＣＤ１１６の電荷蓄積時間を変更するようにしてもよいし、読み取りによって得られた画像データに対して電子変倍（解像度変換）の画像処理を行うようにしてもよい。
【０１８２】
【発明の効果】
以上説明したように請求項１記載の発明は、各成分色光毎に射出光量を調整可能な光源部、写真フィルムを挟持するローラ又はベルトを回転駆動させることで写真フィルムを搬送する搬送手段、及び写真フィルムを各成分色に分解して読み取るラインセンサを設け、写真フィルム上の画像部及び非画像部を区別することなく写真フィルムを末尾まで順に読み取る予備読み取りを所定の読取条件で行い、予備読み取りの結果に基づいて写真フィルム上の各画像の記録位置を順次判定すると共に各画像に対して本読み取りを行う際の読取条件を順次設定することを予備読み取りと並行して行い、写真フィルムに記録された各画像を前記設定した読取条件で読み取る各画像の本読み取りを行うので、写真フィルムに記録されたフィルム画像を各成分色毎に精度良くかつ高速で読み取ることを、簡易かつ低コストの構成で実現できる、という優れた効果を有する。
【０１８３】
請求項２記載の発明は、請求項１の発明において、予備読み取りの結果から各画像のデータを切り出すことを予備読み取りと並行して行うと共に、切り出したデータを用いて各画像を表示手段に表示させることを予備読み取りと並行して行い、画像の切り出し位置を修正する情報が入力された場合に、写真フィルム上の各画像の記録位置の判定結果を入力された情報に基づいて修正するので、上記効果に加え、画像の本読み取り時に、写真フィルム上の実際に画像が記録されている位置を確実に読み取ることができる、という効果を有する。
【０１８４】
請求項３記載の発明は、請求項１の発明において、各画像の本読み取りを行った結果に対する画像処理の処理条件を各画像毎に演算することを予備読み取りと並行して行い、演算した処理条件に従って、各画像の本読み取りを行った結果に対して画像処理を行うにあたり、各画像に対して前記演算した処理条件で画像処理を行った結果に相当する画像を表示手段に表示させ、処理条件を修正する情報が入力された場合に、入力された情報に基づいて処理条件を修正するので、上記効果に加え、画像の本読み取りを行った結果に対し、常に適切な処理条件で画像処理を行うことができる、という効果を有する。
【図面の簡単な説明】
【図１】本実施形態に係るディジタルラボシステムの概略ブロック図である。
【図２】ディジタルラボシステムの外観図である。
【図３】（Ａ）及び（Ｂ）はラインＣＣＤスキャナの光学系の概略構成の一例を示す概略構成図である。
【図４】（Ａ）はターレット、（Ｂ）は絞り、（Ｃ）はレンズ絞りの一例を各々示す平面図、（Ｄ）及び（Ｅ）は絞りの他の例を示す平面図である。
【図５】ラインＣＣＤスキャナの電気系の概略構成を示すブロック図である。
【図６】１３５サイズ写真フィルム用のフィルムキャリアの構成を一部透視して示す斜視図である。
【図７】パノラマサイズのフィルム画像を読み取るときの遮光板の位置を示す平面図である。
【図８】画像処理部の概略構成を示すブロック図である。
【図９】レーザプリンタ部の光学系の概略構成図である。
【図１０】レーザプリンタ部及びプロセッサ部の電気系の概略構成を示すブロック図である。
【図１１】ラインＣＣＤスキャナのマイクロプロセッサで実行されるラインスキャナ制御処理を示すフローチャートである。
【図１２】ラインＣＣＤスキャナのマイクロプロセッサで実行されるフィルム画像読取処理を示すフローチャートである。
【図１３】画像処理部のオートセットアップエンジンで実行されるオートセットアップ処理を示すフローチャートである。
【図１４】画像処理部のパーソナルコンピュータで実行される画像検定処理を示すフローチャートである。
【図１５】ディスプレイへのシミュレーション画像の表示例を示すイメージ図である。
【図１６】光拡散ボックスに代わる光導光器の一例を示す斜視図である。
【図１７】（Ａ）及び（Ｂ）はラインＣＣＤスキャナの光学系の概略構成の他の例を示す概略構成図である。
【符号の説明】
１４    ラインＣＣＤスキャナ
２２    写真フィルム
３２    ランプ
３６    ターレット
３７    ターレット
３８    フィルムキャリア
３９    絞り
４０    光拡散ボックス
４６    マイクロプロセッサ
５０    レンズユニット
１１６    ラインＣＣＤ
１４４    オートセットアップエンジン
【図１】
0003709268.tif 000003
【図２】
0003709268.tif 000004
【図３】
0003709268.tif 000005
【図４】
0003709268.tif 000006
【図５】
0003709268.tif 000007
【図６】
0003709268.tif 000008
【図７】
0003709268.tif 000009
【図８】
0003709268.tif 000010
【図９】
0003709268.tif 000011
【図１０】
0003709268.tif 000012
【図１１】
0003709268.tif 000013
【図１２】
0003709268.tif 000014
【図１３】
0003709268.tif 000015
【図１４】
0003709268.tif 000016
【図１５】
0003709268.tif 000017
【図１６】
0003709268.tif 000018
【図１７】
0003709268.tif 000019